(57)【要約】【課題】電力需給の良好なバランスを実現することが可能な電力管理装置、端末装置、電力管理方法および電力管理プログラムを提供する。【解決手段】電力管理装置は、電力消費または系統への電力供給を管理する電力管理装置であって、電力消費または系統への電力供給の抑制の依頼先および内容の少なくともいずれか一方を示す候補情報を複数作成する作成部と、前記作成部によって作成された各前記候補情報の中から選択された前記候補情報に基づく内容の依頼情報を前記依頼先に通知する通知部とを備える。【選択図】図２
2018036961.tif 000002
【特許請求の範囲】
【請求項１】
電力消費または系統への電力供給を管理する電力管理装置であって、
電力消費または系統への電力供給の抑制の依頼先および内容の少なくともいずれか一方を示す候補情報を複数作成する作成部と、
前記作成部によって作成された各前記候補情報の中から選択された前記候補情報に基づく内容の依頼情報を前記依頼先に通知する通知部とを備える、電力管理装置。
【請求項２】
前記作成部によって作成された少なくとも２つの前記候補情報間において、前記候補情報の示す１または複数の前記依頼先が異なる、請求項１に記載の電力管理装置。
【請求項３】
前記作成部は、前記抑制の内容、および前記依頼先の条件を示す条件情報に基づいて、前記候補情報に含める前記依頼先を決定する、請求項１または請求項２に記載の電力管理装置。
【請求項４】
前記作成部は、前記依頼先のスケジュールに基づいて前記候補情報を作成する、請求項１から請求項３のいずれか１項に記載の電力管理装置。
【請求項５】
前記作成部は、前記抑制の期間および量の少なくともいずれか一方に基づいて前記候補情報を作成する、請求項１から請求項４のいずれか１項に記載の電力管理装置。
【請求項６】
前記電力管理装置は、他の装置から前記抑制に関する依頼を示す抑制情報を受信し、
前記作成部は、前記抑制情報の受信に先立って前記候補情報を作成する、請求項１から請求項５のいずれか１項に記載の電力管理装置。
【請求項７】
前記電力管理装置は、他の装置から前記抑制に関する依頼を示す抑制情報を受信し、
前記作成部は、前記通知部によって前記依頼情報が通知された後、前記依頼を達成できないと判断した場合、新たな前記候補情報を作成する、請求項１から請求項６のいずれか１項に記載の電力管理装置。
【請求項８】
前記電力管理装置は、他の装置から前記抑制に関する依頼を示す抑制情報を受信し、
前記作成部は、前記依頼に応じるか否かを判断し、応じると判断した場合、前記候補情報を作成する、請求項１から請求項７のいずれか１項に記載の電力管理装置。
【請求項９】
電力消費または系統への電力供給の抑制の依頼先および内容の少なくともいずれか一方を示す候補情報を、電力消費または系統への電力供給を管理する電力管理装置から複数取得する取得部と、
前記取得部によって取得された各前記候補情報の中から選択された前記候補情報を前記電力管理装置に通知する通知部とを備える、端末装置。
【請求項１０】
電力消費または系統への電力供給を管理する電力管理装置における電力管理方法であって、
電力消費または系統への電力供給の抑制の依頼先および内容の少なくともいずれか一方を示す候補情報を複数作成するステップと、
作成した各前記候補情報の中から選択された前記候補情報に基づく内容の依頼情報を前記依頼先に通知するステップとを含む、電力管理方法。
【請求項１１】
電力消費または系統への電力供給を管理する電力管理装置において用いられる電力管理プログラムであって、
コンピュータを、
電力消費または系統への電力供給の抑制の依頼先および内容の少なくともいずれか一方を示す候補情報を複数作成する作成部と、
前記作成部によって作成された各前記候補情報の中から選択された前記候補情報に基づく内容の依頼情報を前記依頼先に通知する通知部と、
として機能させるための、電力管理プログラム。
【請求項１２】
端末装置において用いられる電力管理プログラムであって、
コンピュータを、
電力消費または系統への電力供給の抑制の依頼先および内容の少なくともいずれか一方を示す候補情報を、電力消費または系統への電力供給を管理する電力管理装置から複数取得する取得部と、
前記取得部によって取得された各前記候補情報の中から選択された前記候補情報を前記電力管理装置に通知する通知部と、
として機能させるための、電力管理プログラム。
【発明の詳細な説明】
【技術分野】
【０００１】
本発明は、電力管理装置、端末装置、電力管理方法および電力管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の抑制を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばＶＰＰ（Ｖｉｒｔｕａｌ  Ｐｏｗｅｒ  Ｐｌａｎｔ）事業者すなわちアグリゲータと呼ばれる事業者と連携することによって電力需要の抑制を実現する。アグリゲータは、ｘＥＭＳを導入した電力需要施設に対してエネルギー管理支援サービスを提供する。
【０００７】
また、たとえば一般家庭に設けられる太陽光発電等の電力需要施設における発電装置による発電電力の系統への逆潮流（売電）を防止するための技術が開発されている。
【０００８】
たとえば、特許文献３（特開２０１３−１７２４９５号公報）には、発電電力を無駄なく利用することができる電力貯蔵型の発電システムが開示されている。電力貯蔵型の発電システムは、外部の系統と連系され、自然エネルギーを受けて発電する発電部と、発電部による発電電力及び系統からの電力を貯蔵し、発電部と直流接続される蓄電部と、発電部の発電及び蓄電部への充放電を制御する制御部とを備える。制御部は、発電電力が系統に向けて逆潮流している際に、系統電圧と予め定められた閾値電圧との比較に基づいて、発電電力の逆潮流を停止させ、または、逆潮流する発電電力を低減させるとともに、発電電力を蓄電池に充電させる。
【０００９】
また、たとえば、特許文献４（特開平１１−２９９１１０号公報）には、自家発電機と商用電源とが並列運転している際に、急激な負荷変動による電力逆潮流を、発電機やエンジンに大きな負担をかけることなく防止する電力逆潮流防止装置が開示されている。電力逆潮流防止装置では、エンジンガバナは、自家発電設備の発電機駆動用エンジンへの燃料供給量を速度に応じて調整する。速度制御手段は、負荷変動の予測値に従って、発電機駆動用エンジンの速度を調整するように、エンジンガバナの燃料供給量を制御する。受電電力検出手段は、商用電源から受電する電力を検出する。そして、高速制御手段は、受電電力検出手段からの出力に応答し、予め設定される最低受電値に対する受電電力の低下状態が受電電力減少時間についての予め定める条件を満たすように継続するとき、速度制御手段によるエンジンガバナへの制御を停止させ、予め設定される受電電力量の削減に対応する燃料供給量となるように、エンジンガバナを逆潮流の許容時間内で制御し、受電電力が予め定める回復条件を満たすとき、速度制御手段によるエンジンガバナへの制御を回復させる。
【先行技術文献】
【特許文献】
【００１０】
【特許文献１】特開２０１２−２０５３５８号公報
【特許文献２】特開２０１３−１６１１４４号公報
【特許文献３】特開２０１２−２０５３５８号公報
【特許文献４】特開２０１３−１６１１４４号公報
【発明の概要】
【発明が解決しようとする課題】
【００１１】
たとえば、送配電事業者および電力小売り事業者は、多くの電力需要施設にｘＥＭＳが導入されることにより、全体的な電力需要を広範囲に調整することが容易となる。
【００１２】
たとえば、送配電事業者および電力小売り事業者は、電力需給の逼迫が予測される場合に、アグリゲータに対して予め節電依頼を行なう。そして、アグリゲータは、電力需要施設の需要家に対して節電依頼を行なう。
【００１３】
また、たとえば、送配電事業者は、電力の供給が需要を上回ると予想される場合、発電量の抑制を再生エネルギー事業者、および発電装置を所有する需要家に対して、系統への電力供給の抑制を依頼する。
【００１４】
しかしながら、再生エネルギー事業者および需要家への依頼内容が適切でない場合、電力需給が逼迫したり、電力の供給が需要を上回ったりし、系統における電力の需給バランスが崩れるため、好ましくない。
【００１５】
この発明は、上述の課題を解決するためになされたもので、その目的は、電力需給の良好なバランスを実現することが可能な電力管理装置、端末装置、電力管理方法および電力管理プログラムを提供することである。
【課題を解決するための手段】
【００１６】
（１）上記課題を解決するために、この発明のある局面に係わる電力管理装置は、電力消費または系統への電力供給を管理する電力管理装置であって、電力消費または系統への電力供給の抑制の依頼先および内容の少なくともいずれか一方を示す候補情報を複数作成する作成部と、前記作成部によって作成された各前記候補情報の中から選択された前記候補情報に基づく内容の依頼情報を前記依頼先に通知する通知部とを備える。
【００１７】
（９）上記課題を解決するために、この発明のある局面に係わる端末装置は、電力消費または系統への電力供給の抑制の依頼先および内容の少なくともいずれか一方を示す候補情報を、電力消費または系統への電力供給を管理する電力管理装置から複数取得する取得部と、前記取得部によって取得された各前記候補情報の中から選択された前記候補情報を前記電力管理装置に通知する通知部とを備える。
【００１８】
（１０）上記課題を解決するために、この発明のある局面に係わる電力管理方法は、電力消費または系統への電力供給を管理する電力管理装置における電力管理方法であって、電力消費または系統への電力供給の抑制の依頼先および内容の少なくともいずれか一方を示す候補情報を複数作成するステップと、作成した各前記候補情報の中から選択された前記候補情報に基づく内容の依頼情報を前記依頼先に通知するステップとを含む。
【００１９】
（１１）上記課題を解決するために、この発明のある局面に係わる電力管理プログラムは、電力消費または系統への電力供給を管理する電力管理装置において用いられる電力管理プログラムであって、コンピュータを、電力消費または系統への電力供給の抑制の依頼先および内容の少なくともいずれか一方を示す候補情報を複数作成する作成部と、前記作成部によって作成された各前記候補情報の中から選択された前記候補情報に基づく内容の依頼情報を前記依頼先に通知する通知部と、として機能させるためのプログラムである。
【００２０】
（１２）上記課題を解決するために、この発明の他の局面に係わる電力管理プログラムは、端末装置において用いられる電力管理プログラムであって、コンピュータを、電力消費または系統への電力供給の抑制の依頼先および内容の少なくともいずれか一方を示す候補情報を、電力消費または系統への電力供給を管理する電力管理装置から複数取得する取得部と、前記取得部によって取得された各前記候補情報の中から選択された前記候補情報を前記電力管理装置に通知する通知部と、として機能させるためのプログラムである。
【００２１】
本発明は、このような特徴的な処理部を備える電力管理装置として実現することができるだけでなく、電力管理装置を備える電力管理システムとして実現することができる。また、本発明は、電力管理装置の一部または全部を実現する半導体集積回路として実現することができる。
【００２２】
また、本発明は、このような特徴的な処理部を備える端末装置として実現することができるだけでなく、端末装置を備える電力管理システムとして実現したり、かかる特徴的な処理をステップとする方法として実現したりすることができる。また、本発明は、端末装置の一部または全部を実現する半導体集積回路として実現することができる。
【発明の効果】
【００２３】
本発明によれば、電力需給の良好なバランスを実現することができる。
【図面の簡単な説明】
【００２４】
【図１】図１は、本発明の第１の実施の形態に係る電力管理システムの構成を示す図である。
【図２】図２は、本発明の第１の実施の形態に係る電力管理システムにおける電力管理サーバの構成を示す図である。
【図３】図３は、本発明の第１の実施の形態に係る電力管理システムにおける端末装置の構成を示す図である。
【図４】図４は、本発明の第１の実施の形態に係る電力管理システムにおける端末装置が作成する画面の一例を示す図である。
【図５】図５は、本発明の第１の実施の形態に係る電力管理システムにおけるＤＲ実行前の各処理のシーケンスの一例を示す図である。
【図６】図６は、本発明の第１の実施の形態に係る電力管理システムにおけるリコメンド処理のシーケンスの一例を示す図である。
【図７】図７は、本発明の第１の実施の形態に係る電力管理システムにおける端末装置が作成する画面の一例を示す図である。
【図８】図８は、本発明の第１の実施の形態に係る電力管理システムにおけるリコメンド処理のシーケンスの一例を示す図である。
【図９】図９は、本発明の第１の実施の形態に係る電力管理システムにおける端末装置が作成する画面の一例を示す図である。
【図１０】図１０は、本発明の第１の実施の形態に係る電力管理システムにおけるＤＲ実行中およびＤＲ実行後の各処理のシーケンスの一例を示す図である。
【図１１】図１１は、本発明の第２の実施の形態に係る電力管理システムの構成を示す図である。
【図１２】図１２は、本発明の第２の実施の形態に係る電力管理システムにおける電力管理サーバの構成を示す図である。
【図１３】図１３は、本発明の第２の実施の形態に係る電力管理システムにおけるＰＶ出力抑制実行前の各処理のシーケンスの一例を示す図である。
【図１４】図１４は、本発明の第２の実施の形態に係る電力管理システムにおけるリコメンド処理のシーケンスの一例を示す図である。
【図１５】図１５は、本発明の第２の実施の形態に係る電力管理システムにおける端末装置が作成する画面の一例を示す図である。
【図１６】図１６は、本発明の第２の実施の形態に係る電力管理システムにおけるＰＶ出力抑制実行中およびＰＶ出力抑制実行後の各処理のシーケンスの一例を示す図である。
【図１７】図１７は、本発明の第２の実施の形態に係る電力管理システムの変形例の構成を示す図である。
【図１８】図１８は、本発明の第２の実施の形態に係る電力管理システムの変形例における送配電事業者サーバの構成を示す図である。
【図１９】図１９は、本発明の第２の実施の形態に係る電力管理システムの変形例におけるＰＶ出力抑制実行前の各処理のシーケンスの一例を示す図である。
【図２０】図２０は、本発明の第２の実施の形態に係る電力管理システムの変形例におけるＰＶ出力抑制実行中およびＰＶ出力抑制実行後の各処理のシーケンスの一例を示す図である。
【発明を実施するための形態】
【００２５】
最初に、本発明の実施形態の内容を列記して説明する。
【００２６】
（１）本発明の実施の形態に係る電力管理装置は、電力消費または系統への電力供給を管理する電力管理装置であって、電力消費または系統への電力供給の抑制の依頼先および内容の少なくともいずれか一方を示す候補情報を複数作成する作成部と、前記作成部によって作成された各前記候補情報の中から選択された前記候補情報に基づく内容の依頼情報を前記依頼先に通知する通知部とを備える。
【００２７】
このような構成により、たとえば、多様な候補情報をユーザに推奨することができるので、ユーザは、嗜好に合った候補情報を選択することができる。また、たとえば、作成した各候補情報の中からある基準を満たす候補情報を自動で選択することができる。これにより、より適切な内容の依頼情報を通知することができるので、電力消費または系統への電力供給の抑制を適切に行わせることができる。したがって、電力需給の良好なバランスを実現することができる。
【００２８】
（２）好ましくは、前記作成部によって作成された少なくとも２つの前記候補情報間において、前記候補情報の示す１または複数の前記依頼先が異なる。
【００２９】
このような構成により、依頼先の多様性を確保することができるので、依頼先の偏りを防ぐことができる。
【００３０】
（３）好ましくは、前記作成部は、前記抑制の内容、および前記依頼先の条件を示す条件情報に基づいて、前記候補情報に含める前記依頼先を決定する。
【００３１】
このような構成により、たとえば、抑制の内容、ならびに依頼先の実績、地域および優先度等の条件を設定することができるので、より適切な候補情報を推奨することができる。
【００３２】
（４）好ましくは、前記作成部は、前記依頼先のスケジュールに基づいて前記候補情報を作成する。
【００３３】
このような構成により、たとえば、依頼先にとって都合の悪い期間が除外された候補情報を作成することができるので、電力消費または系統への電力供給の抑制が予定通りに行われる可能性を高めることができる。
【００３４】
（５）好ましくは、前記作成部は、前記抑制の期間および量の少なくともいずれか一方に基づいて前記候補情報を作成する。
【００３５】
このような構成により、目標が反映された候補情報を作成することができるので、電力消費または系統への電力供給の抑制が目標通りに行われる可能性を高めることができる。
【００３６】
（６）好ましくは、前記電力管理装置は、他の装置から前記抑制に関する依頼を示す抑制情報を受信し、前記作成部は、前記抑制情報の受信に先立って前記候補情報を作成する。
【００３７】
このような構成により、たとえば、電力管理装置において選択された候補情報に基づく実行可能な内容を他の装置へ通知することができるので、抑制情報の内容の実行可能性を高めることができる。これにより、抑制情報の内容を円滑に実行することができる。
【００３８】
（７）好ましくは、前記電力管理装置は、他の装置から前記抑制に関する依頼を示す抑制情報を受信し、前記作成部は、前記通知部によって前記依頼情報が通知された後、前記依頼を達成できないと判断した場合、新たな前記候補情報を作成する。
【００３９】
このような構成により、抑制情報の内容通りに抑制が行われない場合に、依頼先および依頼量を追加したり、削減したりすることができるので、抑制情報の内容の実行可能性を高めることができる。
【００４０】
（８）好ましくは、前記電力管理装置は、他の装置から前記抑制に関する依頼を示す抑制情報を受信し、前記作成部は、前記依頼に応じるか否かを判断し、応じると判断した場合、前記候補情報を作成する。
【００４１】
このような構成により、たとえば、上記依頼の実行可能性を判断した上で候補情報を作成することができるので、依頼先に困難な抑制処理を行わせることを防ぐことができる。
【００４２】
（９）本発明の実施の形態に係る端末装置は、電力消費または系統への電力供給の抑制の依頼先および内容の少なくともいずれか一方を示す候補情報を、電力消費または系統への電力供給を管理する電力管理装置から複数取得する取得部と、前記取得部によって取得された各前記候補情報の中から選択された前記候補情報を前記電力管理装置に通知する通知部とを備える。
【００４３】
このような構成により、たとえば、電力管理装置から取得した多様な候補情報をユーザに推奨することができるので、ユーザは、嗜好に合った候補情報を選択することができる。そして、ユーザにより選択された候補情報を電力管理装置に通知する構成により、たとえば、電力管理装置では、選択された候補情報に基づくより適切な内容の依頼情報を依頼先へ通知することができるので、電力消費または系統への電力供給の抑制を適切に行わせることができる。したがって、電力需給の良好なバランスを実現することができる。
【００４４】
（１０）本発明の実施の形態に係る電力管理方法は、電力消費または系統への電力供給を管理する電力管理装置における電力管理方法であって、電力消費または系統への電力供給の抑制の依頼先および内容の少なくともいずれか一方を示す候補情報を複数作成するステップと、作成した各前記候補情報の中から選択された前記候補情報に基づく内容の依頼情報を前記依頼先に通知するステップとを含む。
【００４５】
このような構成により、たとえば、多様な候補情報をユーザに推奨することができるので、ユーザは、嗜好に合った候補情報を選択することができる。また、たとえば、作成した各候補情報の中からある基準を満たす候補情報を自動で選択することができる。これにより、より適切な内容の依頼情報を通知することができるので、電力消費または系統への電力供給の抑制を適切に行わせることができる。したがって、電力需給の良好なバランスを実現することができる。
【００４６】
（１１）本発明の実施の形態に係る電力管理プログラムは、電力消費または系統への電力供給を管理する電力管理装置において用いられる電力管理プログラムであって、コンピュータを、電力消費または系統への電力供給の抑制の依頼先および内容の少なくともいずれか一方を示す候補情報を複数作成する作成部と、前記作成部によって作成された各前記候補情報の中から選択された前記候補情報に基づく内容の依頼情報を前記依頼先に通知する通知部と、として機能させるためのプログラムである。
【００４７】
このような構成により、たとえば、多様な候補情報をユーザに推奨することができるので、ユーザは、嗜好に合った候補情報を選択することができる。また、たとえば、作成した各候補情報の中からある基準を満たす候補情報を自動で選択することができる。これにより、より適切な内容の依頼情報を通知することができるので、電力消費または系統への電力供給の抑制を適切に行わせることができる。したがって、電力需給の良好なバランスを実現することができる。
【００４８】
（１２）本発明の実施の形態に係る電力管理プログラムは、端末装置において用いられる電力管理プログラムであって、コンピュータを、電力消費または系統への電力供給の抑制の依頼先および内容の少なくともいずれか一方を示す候補情報を、電力消費または系統への電力供給を管理する電力管理装置から複数取得する取得部と、前記取得部によって取得された各前記候補情報の中から選択された前記候補情報を前記電力管理装置に通知する通知部と、として機能させるためのプログラムである。
【００４９】
このような構成により、たとえば、電力管理装置から取得した多様な候補情報をユーザに推奨することができるので、ユーザは、嗜好に合った候補情報を選択することができる。そして、ユーザにより選択された候補情報を電力管理装置に通知する構成により、たとえば、電力管理装置では、選択された候補情報に基づくより適切な内容の依頼情報を依頼先へ通知することができるので、電力消費または系統への電力供給の抑制を適切に行わせることができる。したがって、電力需給の良好なバランスを実現することができる。
【００５０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５１】
＜第１の実施の形態＞
［構成および基本動作］
図１は、本発明の第１の実施の形態に係る電力管理システムの構成を示す図である。
【００５２】
図１を参照して、電力管理システム３０１は、電力管理サーバ（電力管理装置）１０１と、系統側サーバ１２１と、端末装置１７１と、３つの需要家装置２０２とを備える。
【００５３】
図１では、３つの需要家装置２０２を代表的に示しているが、さらに多数または少数の需要家装置２０２が設けられてもよい。また、需要家装置２０２に対応して２つの負荷２０５を代表的に示しているが、さらに多数または少数の負荷２０５が需要家装置２０２に対応して設けられてもよい。
【００５４】
電力管理システム３０１では、たとえば、電力の需給が逼迫する場合、または電力の需給が逼迫するおそれがある場合において、各需要家が消費電力を抑制するための需要応答（ＤＲ：Ｄｅｍａｎｄ  Ｒｅｓｐｏｎｓｅ）を発行することが可能である。
【００５５】
電力管理システム３０１における系統側サーバ１２１は、電力系統側である送配電事業者または電力小売事業者等によって運用され、電力消費の抑制に関する依頼を示す抑制情報Ｓ１を電力管理サーバ１０１へ送信する。抑制情報Ｓ１は、たとえば、電力消費の抑制の依頼期間（以下、ＤＲ期間とも称する。）の開始タイミングおよびＤＲ期間の長さ、ならびに電力消費の抑制量を示す依頼電力Ｒ１を含む。なお、抑制情報Ｓ１には、ＤＲ期間の長さの代わりにＤＲ期間の終了タイミングが含まれていてもよい。
【００５６】
需要家装置２０２は、電力会社から電力の供給を受けるビル、工場または一般家庭等の電力需要施設において用いられる。需要家装置２０２は、電力需要施設ごとに１つ設けられてもよいし、電力需要施設ごとに複数設けられてもよい。電力会社は、たとえば発電事業者または電力小売り事業者である。
【００５７】
需要家装置２０２は、電力需要施設における１または複数の負荷２０５を制御可能である。負荷２０５は、二次電池をエネルギー源とする二次電池式電気自動車およびプラグインハイブリッドカー、ならびに照明、テレビおよび空調装置等の電気機器である。
【００５８】
より詳細には、需要家装置２０２は、電気機器の動作を制御することによって消費電力の削減を図るためのｘＥＭＳにおいて用いられる装置であり、たとえばアグリゲータによって導入される。
【００５９】
電力管理サーバ１０１は、たとえばアグリゲータによって運用され、１または複数の需要家装置２０２と通信を行なうことにより、１または複数の電力需要施設における電力消費を管理する。電力管理サーバ１０１は、たとえば、需要家装置２０２が設けられる電力需要施設から遠隔の場所に設置されることが多い。
【００６０】
卸電力取引所サーバ１１１は、たとえば、１時間前契約および４時間前契約等の契約ごとの電力取引市場を提供する。卸電力取引所サーバ１１１の動作の詳細については後述する。
【００６１】
［電力管理サーバ］
図２は、本発明の第１の実施の形態に係る電力管理システムにおける電力管理サーバの構成を示す図である。
【００６２】
図２を参照して、電力管理サーバ１０１は、通信部（通知部）２１と、処理部（作成部）２２と、記憶部２３とを備える。
【００６３】
電力管理サーバ１０１における通信部２１は、他の装置と情報の送受信を行うことが可能である。この例では、通信部２１は、卸電力取引所サーバ１１１、系統側サーバ１２１、端末装置１７１および需要家装置２０２と情報の送受信を行うことが可能である。
【００６４】
記憶部２３は、管理情報、実績集約情報、ＤＲ可能量情報および各種登録情報を保持する。ＤＲ可能量情報および各種登録情報については、後述する。
【００６５】
ここで、管理情報は、たとえば、アグリゲータの管理する各需要家の需要家ＩＤと、需要家ＩＤに対応する、契約内容、スケジュールおよび需要家装置２０２の装置ＩＤとを含む。たとえば、需要家ＩＤは、契約内容に応じたグループに属する。これらの契約には、節電電力量に対するインセンティブがそれぞれ定められている。スケジュールは、たとえば需要家がＤＲに参加できない期間を示す。
【００６６】
実績集約情報は、たとえば、各需要家のＤＲの実績を示す。具体的には、実績集約情報は、需要家ＩＤごとの、系統側サーバ１２１から要求されたＤＲ期間および依頼電力Ｒ１と、当該期間において節電した電力の実績値とを含む。
【００６７】
処理部２２は、たとえば、自己の電力管理サーバ１０１の管理する各需要家のＤＲ可能量を定期的に予測する。
【００６８】
より詳細には、処理部２２は、たとえば、複数の対象期間を設定し、記憶部２３における管理情報および実績集約情報に基づいて、グループごとかつ対象期間ごとに、当該グループに属する需要家が、対象期間において節電可能な電力をＤＲ可能量として予測する。処理部２２は、予測結果に基づいて、記憶部２３におけるＤＲ可能量を示すＤＲ可能量情報を更新する。
【００６９】
［端末装置］
図３は、本発明の第１の実施の形態に係る電力管理システムにおける端末装置の構成を示す図である。
【００７０】
図３を参照して、端末装置１７１は、取得部６１と、表示制御部６２と、受付部６４と、通知部６５とを備える。
【００７１】
端末装置１７１は、たとえば、パーソナルコンピュータであり、アグリゲータにおけるオペレータによって操作される。
【００７２】
図４は、本発明の第１の実施の形態に係る電力管理システムにおける端末装置が作成する画面の一例を示す図である。図４には、電子取引シミュレーション画面が示される。また、＊印は、必須項目であることを示す。
【００７３】
［動作］
電力管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００７４】
図５は、本発明の第１の実施の形態に係る電力管理システムにおけるＤＲ実行前の各処理のシーケンスの一例を示す図である。
【００７５】
図５を参照して、まず、電力管理サーバ１０１は、定期的にＤＲ可能量を予測する（ステップＳ１０２）。
【００７６】
次に、電力管理サーバ１０１は、リコメンド処理ＲＰ１を行う（ステップＳ１０４）。
【００７７】
［リコメンド処理ＲＰ１］
図６は、本発明の第１の実施の形態に係る電力管理システムにおけるリコメンド処理のシーケンスの一例を示す図である。図６は、図５のステップＳ１０４における動作の詳細を示している。
【００７８】
図２〜図４および図６を参照して、端末装置１７１における表示制御部６２が、図４に示す画面Ｓｃ１を表示装置に表示する制御を行っている状態を想定する。
【００７９】
まず、端末装置１７１は、入力受付処理を行う（ステップＳ７０２）。
【００８０】
より詳細には、オペレータは、たとえば、画面Ｓｃ１を参照し、少なくとも「制御期間」を入力する操作を端末装置１７１に対して行う。ここで、「制御期間」は、たとえば、アグリゲータがＤＲに参加する期間であり、３０分単位で指定することが可能である。
【００８１】
また、オペレータは、「制御量」および「制御条件」をオプションとして指定することが可能である。ここで、「制御量」は、「制御期間」における節電電力の目標を示す。
【００８２】
「制御条件」は、依頼先すなわち需要家の条件を示す。具体的には、「制御条件」は、抽出対象の需要家数の指定、抽出対象の需要家の電力需要施設が位置する地域の指定、回り番および優先度順等の需要家の抽出方法の指定、ならびに過去の期間における需要家のＤＲの参加の有無等である。
【００８３】
オペレータは、各項目の入力が完了すると、「実行」ボタンを選択する操作を行う。
【００８４】
端末装置１７１における受付部６４は、オペレータの操作を受け付け、受け付けた操作を示す操作情報を作成して通知部６５へ出力する。
【００８５】
次に、通知部６５は、受付部６４から操作情報を受けると、受けた操作情報を電力管理サーバ１０１へ送信する（ステップＳ７０４）。
【００８６】
次に、電力管理サーバ１０１は、候補情報作成処理を行う（ステップＳ７０６）。
【００８７】
電力管理サーバ１０１における処理部２２は、電力消費の抑制の依頼先および内容を示す複数の候補情報を作成する。
【００８８】
より詳細には、処理部２２は、たとえば、抑制情報Ｓ１の受信に先立って候補情報を作成する。
【００８９】
処理部２２は、たとえば、電力消費の抑制の内容、および依頼先の条件を示す条件情報に基づいて、複数の候補情報を作成する。
【００９０】
詳細には、処理部２２は、たとえば、電力消費の抑制の期間および量をそれぞれ示す制御期間および制御量、条件情報、ならびに依頼先のスケジュールすなわち管理情報に含まれるスケジュールに基づいて候補情報を作成する。
【００９１】
また、処理部２２は、たとえば、少なくとも２つの候補情報間において、候補情報の示す１または複数の依頼先が異なるように候補情報を作成する。
【００９２】
具体的には、処理部２２は、通信部２１経由で端末装置１７１から操作情報を受信すると、受信した操作情報に基づいて、電力消費の抑制の内容として制御期間および制御量を認識する。処理部２２は、たとえば、オペレータが「制御量」を指定しなかった場合、ＤＲ可能量情報に基づく制御期間におけるＤＲ可能量を制御量として用いる。
【００９３】
また、処理部２２は、操作情報からオペレータが指定した「制御条件」を条件情報として取得し、取得した条件情報の内容を認識する。処理部２２は、たとえば、オペレータが「制御条件」を指定しなかった場合、上述の各「制御条件」の少なくともいずれか１つをデフォルトの条件情報として用いる。
【００９４】
処理部２２は、記憶部２３における管理情報および実績集約情報、ならびに制御期間、制御量および条件情報に基づいて、互いに異なる複数の候補情報を作成する。
【００９５】
詳細には、処理部２２は、たとえば、電力消費の抑制の内容、および条件情報に基づいて、候補情報に含める依頼先を決定する。
【００９６】
より詳細には、処理部２２は、たとえば、電力消費の抑制の内容に基づいて依頼先を仮決定し、条件情報に基づいて、仮決定した依頼先の中から候補情報に含める依頼先を本決定する。
【００９７】
具体的には、処理部２２は、たとえば、管理情報、実績集約情報、制御期間および制御量を用いて、各需要家のＤＲの実績、スケジュール、制御期間および制御量を含む入力データを作成する。また、処理部２２は、条件情報の内容を含む制御条件データを作成する。
【００９８】
処理部２２は、たとえば、最適化エンジンを有しており、作成した入力データおよび制御条件データを最適化エンジンに入力することで、入力データを満足するような各需要家の需要家ＩＤを仮抽出する。
【００９９】
処理部２２は、仮抽出した各需要家の需要家ＩＤのうち、条件情報の示す条件を満足するような各需要家の需要家ＩＤを本抽出する。
【０１００】
具体的には、処理部２２は、たとえば、入力データを満足するような、７０件の各需要家の需要家ＩＤ、１００件の各需要家の需要家ＩＤ、および１５０件の各需要家の需要家ＩＤ等の任意数の需要家の需要家ＩＤを仮抽出する。
【０１０１】
そして、処理部２２は、たとえば、条件情報の示す条件として抽出対象の需要家数が１００件に指定されている場合、仮抽出した各需要家ＩＤのセットのうちの、１００件の各需要家の需要家ＩＤを本抽出する。
【０１０２】
なお、処理部２２は、依頼先を仮決定することなく、電力消費の抑制の内容、および条件情報に基づいて、入力データおよび制御条件を満足するような各需要家の需要家ＩＤを本抽出してもよい。この決定方法は、たとえば、条件情報の示す条件として、抽出対象の需要家の電力需要施設が位置する地域が指定されている場合に適している。
【０１０３】
また、処理部２２は、条件情報を用いずに、電力消費の抑制の内容に基づいて依頼先を本決定してもよい。具体的には、処理部２２は、制御期間および制御量を満足するような各需要家の需要家ＩＤを、回り番によって抽出してもよいし、ランダムに抽出してもよい。
【０１０４】
処理部２２は、抽出した各需要家に割り当てる節電電力、割り当てた各節電電力の合計すなわち節電電力期待値、および抽出した各需要家に支払うべきインセンティブの合計すなわちコストを算出する。
【０１０５】
そして、処理部２２は、抽出した需要家ＩＤ、ならびに算出した節電電力、節電電力期待値およびコストを含む候補情報をたとえば３つ作成し、作成した３つの候補情報にインデックスを付する。
【０１０６】
次に、処理部２２は、３つの候補情報、および制御量を含む処理結果情報を作成し、作成した処理結果情報を通信部２１経由で端末装置１７１へ送信する。端末装置１７１における取得部６１は、複数の候補情報を電力管理サーバ１０１から取得する。より詳細には、取得部６１は、電力管理サーバ１０１から処理結果情報を受信する（ステップＳ７０８）。
【０１０７】
次に、端末装置１７１は、表示処理を行う（ステップＳ７１０）。詳細には、端末装置１７１における取得部６１は、受信した処理結果情報を表示制御部６２へ出力する。
【０１０８】
図７は、本発明の第１の実施の形態に係る電力管理システムにおける端末装置が作成する画面の一例を示す図である。図７には、ＤＲ計画候補画面が示される。
【０１０９】
図７を参照して、表示制御部６２は、取得部６１から処理結果情報を受けると、受けた処理結果情報に基づいて、図７に示す画面Ｓｃ２を表示装置に表示する制御を行う。
【０１１０】
画面Ｓｃ２において、３つの候補情報の内容がインデックス順に表示されている。「達成率見込（％）」は、節電電力期待値を制御量で除した値を百分率で表した値である。「電力削減量見込（ｋＷ）」および「支払報奨金合計（円）」は、それぞれ節電電力期待値およびコストである。「選別されたリソースの数」は、電力管理サーバ１０１によって抽出された需要家ＩＤの個数である。
【０１１１】
また、「詳細」ボタンを選択する操作を端末装置１７１に対して行うことにより、対応の候補についての詳細を表示装置に表示することが可能である。
【０１１２】
次に、端末装置１７１は、入力受付処理を行う（ステップＳ７１２）。
【０１１３】
より詳細には、オペレータは、たとえば、画面Ｓｃ２を参照し、自己の嗜好に合った候補、この例では１番の候補を決定し、インデックスが１の候補に対応する「この候補を選択する」ボタンを選択する操作を端末装置１７１に対して行う。
【０１１４】
受付部６４は、オペレータの操作を受け付け、受け付けた操作を示す操作情報を作成し、作成した操作情報を通知部６５へ出力する。
【０１１５】
通知部６５は、取得部６１によって取得された各候補情報の中から、たとえばオペレータによって選択された候補情報を電力管理サーバ１０１に通知する。具体的には、通知部６５は、受付部６４から操作情報を受けると、受けた操作情報を電力管理サーバ１０１へ送信する（ステップＳ７１４）。
【０１１６】
次に、電力管理サーバ１０１は、市場登録情報作成処理を行う（ステップＳ７１６）。より詳細には、電力管理サーバ１０１における処理部２２は、通信部２１経由で端末装置１７１から操作情報を受信すると、受信した操作情報に基づいて、インデックスが１の候補情報がオペレータに選択されたことを認識する。
【０１１７】
そして、処理部２２は、オペレータの選択したインデックス、３つの候補情報、制御期間および制御量を含む市場登録情報を作成する。
【０１１８】
再び図５を参照して、次に、電力管理サーバ１０１は、市場登録情報登録処理を行う（ステップＳ１０６）。より詳細には、電力管理サーバ１０１における処理部２２は、作成した市場登録情報を記憶部２３に保存する、すなわち登録する。
【０１１９】
次に、系統側サーバ１２１、卸電力取引所サーバ１１１および電力管理サーバ１０１間において落札処理が行われる（ステップＳ１０８）。
【０１２０】
より詳細には、電力管理サーバ１０１は、市場登録情報に基づいて、自己のＩＤおよび制御期間、ならびにオペレータによって選択された候補情報についてのコストおよび節電電力期待値を商品として卸電力取引所サーバ１１１に登録する。
【０１２１】
系統側サーバ１２１は、卸電力取引所サーバ１１１に登録された商品の中から、ＤＲ計画を満たすように商品を購入する、すなわち落札する。
【０１２２】
次に、系統側サーバ１２１は、抑制情報Ｓ１を電力管理サーバ１０１へ送信する（ステップＳ１１０）。より詳細には、系統側サーバ１２１は、たとえば、落札した商品の内容に沿った、ＤＲ期間および依頼電力Ｒ１を含む抑制情報Ｓ１を電力管理サーバ１０１へ送信する。なお、系統側サーバ１２１は、落札した商品の内容に沿わない抑制情報Ｓ１を電力管理サーバ１０１へ送信することもある。
【０１２３】
次に、電力管理サーバ１０１は、抑制情報登録処理を行う（ステップＳ１１２）。より詳細には、電力管理サーバ１０１における通信部２１は、たとえば、他の装置、具体的には系統側サーバ１２１から抑制情報Ｓ１を受信し、受信した抑制情報Ｓ１を処理部２２へ出力する。
【０１２４】
処理部２２は、通信部２１から抑制情報Ｓ１を受けると、受けた抑制情報Ｓ１を記憶部２３に保存する。
【０１２５】
次に、処理部２２は、リコメンド処理ＲＰ２を行う（ステップＳ１１４）。
【０１２６】
［リコメンド処理ＲＰ２］
図８は、本発明の第１の実施の形態に係る電力管理システムにおけるリコメンド処理のシーケンスの一例を示す図である。図８は、図５のステップＳ１１４における動作の詳細を示している。
【０１２７】
図９は、本発明の第１の実施の形態に係る電力管理システムにおける端末装置が作成する画面の一例を示す図である。図９には、イベント画面が示される。
【０１２８】
図２、図３、図８および図９を参照して、処理部２２は、ＤＲが緊急ではない場合、具体的には、抑制情報Ｓ１に含まれるＤＲ期間の開始タイミングまでの時間が所定値Ｔｈ１以下である場合（ステップＳ８０２でＮＯ）、抑制情報Ｓ１および処理結果情報を通信部２１経由で端末装置１７１へ送信する（ステップＳ８０４）。
【０１２９】
次に、端末装置１７１は、表示処理を行う（ステップＳ８０６）。より詳細には、端末装置１７１における取得部６１は、電力管理サーバ１０１から抑制情報Ｓ１および処理結果情報を受信すると、受信した抑制情報Ｓ１および処理結果情報を表示制御部６２へ出力する。
【０１３０】
表示制御部６２は、取得部６１から抑制情報Ｓ１および処理結果情報を受けると、受けた抑制情報Ｓ１および処理結果情報に基づいて、図９に示す画面Ｓｃ３を表示装置に表示する制御を行う。
【０１３１】
画面Ｓｃ３において、グラフＧｒ１では、縦軸は、電力を示し、横軸は、時間を示す。この例では、グラフＧｒ１において、抑制情報Ｓ１に含まれるＤＲ期間および依頼電力Ｒ１に基づく、１０時から１２時までにおける２００ｋＷの制御依頼を示す長方形が描かれる。
【０１３２】
また、「ＤＲ計画候補」における３つの候補は、たとえば、図７に示す３つの候補と同じである。
【０１３３】
また、「再作成」ボタンを選択する操作を端末装置１７１に対して行うことにより、複数の候補の再作成を行うことが可能である。この場合、電力管理サーバ１０１において、リコメンド処理ＲＰ１が行われることにより、複数の候補情報が再作成される。
【０１３４】
次に、端末装置１７１は、入力受付処理を行う（ステップＳ８０８）。
【０１３５】
より詳細には、オペレータは、たとえば、画面Ｓｃ３を参照し、図７に示す画面Ｓｃ２において選択した候補を変更しない場合、１番に対応する「この候補を選択する」ボタンを選択する操作を端末装置１７１に対して行う。
【０１３６】
一方、オペレータは、たとえば、２番または３番に対応する「この候補を選択する」ボタンを選択する操作を端末装置１７１に対して行うことにより、２番または３番の候補に選択し直すことが可能である。
【０１３７】
受付部６４は、オペレータの操作を受け付け、受け付けた操作を示す操作情報を作成し、作成した操作情報を通知部６５へ出力する。
【０１３８】
通知部６５は、受付部６４から操作情報を受けると、受けた操作情報を電力管理サーバ１０１へ送信する（ステップＳ８１０）。
【０１３９】
次に、電力管理サーバ１０１は、依頼情報作成処理を行う（ステップＳ８１２）。より詳細には、電力管理サーバ１０１における処理部２２は、自己の作成した３つの候補情報の中から選択された候補情報に基づく内容の依頼情報を作成する。
【０１４０】
ここでは、処理部２２は、ＤＲが緊急ではないので、通信部２１経由で端末装置１７１から操作情報を受信すると、受信した操作情報に基づいて依頼情報を作成する。
【０１４１】
より詳細には、処理部２２は、操作情報に基づいて、インデックスが１の候補情報がオペレータに選択されたことを認識し、インデックスが１の候補情報から、各需要家ＩＤ、および当該各需要家ＩＤの示す需要家に割り当てる節電電力を取得する。
【０１４２】
そして、処理部２２は、管理情報から、取得した各需要家ＩＤに対応する装置ＩＤを依頼情報の宛先として取得し、装置ＩＤごとに、対応の宛先、ＤＲ期間、および対応の節電電力を含む依頼情報を作成する。
【０１４３】
一方、処理部２２は、緊急のＤＲである場合（ステップＳ８０２でＹＥＳ）、指定された基準に従って、自己の作成した３つの候補情報の中から候補情報を選択し、選択した候補情報に基づく内容の依頼情報を作成する。ここで、指定された基準は、たとえば、図７に示す、「達成率見込（％）」、「電力削減量見込（ｋＷ）」、「支払報奨金合計（円）」および「選別されたリソースの数」のうちのいずれか１つを用いた基準である。
【０１４４】
処理部２２は、作成した各依頼情報を通信部２１へ出力する。
【０１４５】
再び図５を参照して、次に、通信部２１は、処理部２２によって作成された各候補情報の中から選択された候補情報に基づく内容の依頼情報を依頼先に通知する（ステップＳ１１６）。
【０１４６】
より詳細には、通信部２１は、処理部２２から各依頼情報を受けると、受けた各依頼情報を、各々の依頼情報に含まれる宛先の示す需要家装置２０２へ送信する。
【０１４７】
次に、各需要家装置２０２は、電力管理サーバ１０１から依頼情報を受信すると、受信した依頼情報を登録する依頼情報登録処理を行う（ステップＳ１１８）。
【０１４８】
次に、各需要家装置２０２は、依頼情報の内容を許諾するか否かを示す応答情報を電力管理サーバ１０１へ送信する（ステップＳ１２０）。
【０１４９】
次に、各需要家装置２０２は、自己のＤＲの実績を示す実績値情報を定期的に電力管理サーバ１０１へ送信する（ステップＳ１２２）。
【０１５０】
次に、電力管理サーバ１０１における処理部２２は、たとえば、通信部２１によって依頼情報が通知された後、電力消費の抑制に関する依頼を達成できるか否かを判断する（ステップＳ１２４）。
【０１５１】
より詳細には、処理部２２は、各需要家装置２０２から応答情報および実績値情報を通信部２１経由で受信して、応答情報、実績値情報および抑制情報Ｓ１に基づいて、系統側サーバ１２１からのＤＲの要請を満たすための調整が必要か否かを判断する。
【０１５２】
処理部２２は、上記調整が必要であると判断すると（ステップＳ１２４でＹＥＳ）、新たな候補情報を作成する（ステップＳ１２８）。具体的には、処理部２２は、リコメンド処理ＲＰ２を行う。
【０１５３】
一方、処理部２２は、上記調整が不要であると判断すると（ステップＳ１２４でＮＯ）、抑制情報Ｓ１を許諾する旨を示す許諾応答信号を通信部２１経由で系統側サーバ１２１へ送信する（ステップＳ１２６）。
【０１５４】
なお、上記ステップＳ１２０およびＳ１２２の順番は、上記に限らず、順番を入れ替えてもよい。
【０１５５】
図１０は、本発明の第１の実施の形態に係る電力管理システムにおけるＤＲ実行中およびＤＲ実行後の各処理のシーケンスの一例を示す図である。
【０１５６】
図１０を参照して、各需要家装置２０２は、電力管理サーバ１０１から受信した依頼情報に従って、ＤＲを実行中である状況を想定する。
【０１５７】
まず、各需要家装置２０２は、ＤＲ実行中において実績値情報を定期的に電力管理サーバ１０１へ送信する（ステップＳ２０２）。
【０１５８】
次に、電力管理サーバ１０１は、監視処理を行う（ステップＳ２０４）。より詳細には、電力管理サーバ１０１における処理部２２は、各需要家装置２０２から実績値情報を通信部２１経由で受信して、実績値情報および抑制情報Ｓ１に基づいて、現在実行中のＤＲの達成度合いを監視する（ステップＳ２０４）。
【０１５９】
次に、処理部２２は、達成度合いが目標に未達であると判断すると（ステップＳ２０６でＹＥＳ）、リコメンド処理ＲＰ３を行う（ステップＳ２０８）。ここでは、ＤＲを実行中であるので、処理部２２は、たとえばオペレータへの問い合わせを行わずにリコメンド処理ＲＰ３を行う。
【０１６０】
より詳細には、処理部２２は、たとえば、３つの候補情報を作成する。具体的には、処理部２２は、たとえば、ＤＲ開始前において作成した候補情報（以下、開始前候補情報とも称する。）に含まれる需要家ＩＤの数を増減させた候補情報を作成したり、開始前候補情報に含まれない需要家ＩＤを開始前候補情報に含めた候補情報を作成したり、他のグループに属する需要家の需要家ＩＤを開始前候補情報に含めた候補情報を作成したりする。
【０１６１】
そして、処理部２２は、たとえば、指定された基準に従って、自己の作成した３つの候補情報の中から候補情報を選択する。
【０１６２】
処理部２２は、選択した候補情報、および管理情報に基づいて、ＤＲの内容の変更対象の各需要家向けの依頼情報を作成し、作成した依頼情報を通信部２１へ出力する。
【０１６３】
次に、通信部２１は、処理部２２から各依頼情報を受けると、受けた各依頼情報を、各々の依頼情報に含まれる宛先の示す需要家装置２０２へ送信する（ステップＳ２１０）。
【０１６４】
次に、ＤＲの内容の変更対象の各需要家装置２０２は、電力管理サーバ１０１から依頼情報を受信すると、受信した依頼情報を登録する依頼情報登録処理を行う（ステップＳ２１２）。
【０１６５】
次に、ＤＲの内容の変更対象の各需要家装置２０２は、依頼情報に従って、ＤＲを実行する（ステップＳ２１４）。
【０１６６】
一方、処理部２２は、達成度合いが目標に到達していると判断すると（ステップＳ２０６でＮＯ）、リコメンド処理ＲＰ３を行わない。
【０１６７】
ステップＳ２０４〜Ｓ２１４の処理は、ＤＲが終了するまでたとえば定期的に繰り返される。
【０１６８】
次に、各需要家装置２０２は、ＤＲ実行後において実績値情報を定期的に電力管理サーバ１０１へ送信する（ステップＳ２１６）。
【０１６９】
次に、電力管理サーバ１０１は、集計処理を行う。より詳細には、電力管理サーバ１０１における処理部２２は、各需要家装置２０２から実績値情報を通信部２１経由で受信して、実績値情報および抑制情報Ｓ１に基づいて、ＤＲに参加した各需要家のＤＲ期間における節電の実績を集計する（ステップＳ２１８）。
【０１７０】
次に、電力管理サーバ１０１は、更新処理を行う。より詳細には、処理部２２は、集計結果に基づいて記憶部２３における実績集約情報を更新する（ステップＳ２２０）。
【０１７１】
次に、処理部２２は、ＤＲに参加した各需要家のＤＲ期間における節電電力の実績の合計値を含む実績値情報を通信部２１経由で系統側サーバ１２１へ送信する（ステップＳ２２２）。
【０１７２】
次に、系統側サーバ１２１は、電力管理サーバ１０１から実績値情報を受信すると、受信した実績値情報の内容を登録する実績値登録処理を行う（ステップＳ２２４）。
【０１７３】
なお、本発明の第１の実施の形態に係る電力管理サーバでは、処理部２２は、電力消費の抑制の依頼先および内容の両方を示す候補情報を複数作成する構成であるとしたが、これに限定するものではない。処理部２２は、電力消費の抑制の依頼先および内容のいずれか一方を示す候補情報を複数作成する構成であってもよい。
【０１７４】
また、本発明の第１の実施の形態に係る電力管理サーバでは、処理部２２は、複数の候補情報のうちの少なくとも２つの候補情報間において、候補情報の示す１または複数の依頼先が異なるように候補情報を作成する構成であるとしたが、これに限定するものではない。処理部２２は、複数の候補情報において、候補情報の示す依頼先が同じになるように候補情報を作成する構成であってもよい。
【０１７５】
また、本発明の第１の実施の形態に係る電力管理サーバでは、処理部２２は、依頼先のスケジュール、制御期間および制御量に基づいて候補情報を作成する構成であるとしたが、これに限定するものではない。処理部２２は、これらの情報以外の情報に基づいて候補情報を作成する構成であってもよいし、依頼先のスケジュールに基づいて候補情報を作成する構成であってもよいし、制御期間および制御量の少なくともいずれか一方に基づいて候補情報を作成する構成であってもよい。
【０１７６】
ところで、たとえば、送配電事業者および電力小売り事業者は、多くの電力需要施設にｘＥＭＳが導入されることにより、全体的な電力需要を広範囲に調整することが容易となる。
【０１７７】
たとえば、送配電事業者および電力小売り事業者は、電力需給の逼迫が予測される場合に、アグリゲータに対して予め節電依頼を行なう。そして、アグリゲータは、電力需要施設の需要家に対して節電依頼を行なう。
【０１７８】
また、たとえば、送配電事業者は、電力の供給が需要を上回ると予想される場合、発電量の抑制を再生エネルギー事業者、および発電装置を所有する需要家に対して、系統への電力供給の抑制を依頼する。
【０１７９】
しかしながら、再生エネルギー事業者および需要家への依頼内容が適切でない場合、電力需給が逼迫したり、電力の供給が需要を上回ったりし、系統における電力の需給バランスが崩れるため、好ましくない。
【０１８０】
これに対して、本発明の第１の実施の形態に係る電力管理サーバは、電力消費を管理する電力管理装置である。処理部２２は、電力消費の抑制の依頼先および内容の少なくともいずれか一方を示す候補情報を複数作成する。そして、通信部２１は、処理部２２によって作成された各候補情報の中から選択された候補情報に基づく内容の依頼情報を依頼先に通知する。
【０１８１】
このような構成により、たとえば、多様な候補情報をユーザに推奨することができるので、ユーザは、嗜好に合った候補情報を選択することができる。また、たとえば、作成した各候補情報の中からある基準を満たす候補情報を自動で選択することができる。これにより、より適切な内容の依頼情報を通知することができるので、電力消費の抑制を適切に行わせることができる。したがって、電力需給の良好なバランスを実現することができる。
【０１８２】
また、本発明の第１の実施の形態に係る電力管理サーバでは、処理部２２によって作成された少なくとも２つの候補情報間において、候補情報の示す１または複数の依頼先が異なる。
【０１８３】
このような構成により、依頼先の多様性を確保することができるので、依頼先の偏りを防ぐことができる。
【０１８４】
また、本発明の第１の実施の形態に係る電力管理サーバでは、処理部２２は、電力消費の抑制の内容、および依頼先の条件を示す条件情報に基づいて、候補情報に含める依頼先を決定する。
【０１８５】
このような構成により、たとえば、抑制の内容、ならびに依頼先の実績、地域および優先度等の条件を設定することができるので、より適切な候補情報を推奨することができる。
【０１８６】
また、本発明の第１の実施の形態に係る電力管理サーバでは、処理部２２は、依頼先のスケジュールに基づいて候補情報を作成する。
【０１８７】
このような構成により、たとえば、依頼先にとって都合の悪い期間が除外された候補情報を作成することができるので、電力消費または系統への電力供給の抑制が予定通りに行われる可能性を高めることができる。
【０１８８】
また、本発明の第１の実施の形態に係る電力管理サーバでは、処理部２２は、電力消費の抑制の期間および量の少なくともいずれか一方に基づいて候補情報を作成する。
【０１８９】
このような構成により、目標が反映された候補情報を作成することができるので、電力消費の抑制が目標通りに行われる可能性を高めることができる。
【０１９０】
また、本発明の第１の実施の形態に係る電力管理サーバは、他の装置から電力消費の抑制に関する依頼を示す抑制情報Ｓ１を受信する。そして、処理部２２は、抑制情報Ｓ１の受信に先立って候補情報を作成する。
【０１９１】
このような構成により、たとえば、電力管理サーバ１０１において選択された候補情報に基づく実行可能な内容を他の装置へ通知することができるので、抑制情報Ｓ１の内容の実行可能性を高めることができる。これにより、抑制情報Ｓ１の内容を円滑に実行することができる。
【０１９２】
また、本発明の第１の実施の形態に係る電力管理サーバは、他の装置から電力消費の抑制に関する依頼を示す抑制情報Ｓ１を受信する。そして、処理部２２は、通信部２１によって依頼情報が通知された後、当該依頼を達成できないと判断した場合、新たな候補情報を作成する。
【０１９３】
このような構成により、抑制情報Ｓ１の内容通りに抑制が行われない場合に、依頼先および依頼量を追加したり、削減したりすることができるので、抑制情報Ｓ１の内容の実行可能性を高めることができる。
【０１９４】
また、本発明の第１の実施の形態に係る端末装置では、取得部６１は、電力消費の抑制の依頼先および内容の少なくともいずれか一方を示す候補情報を、電力消費を管理する電力管理サーバ１０１から複数取得する。そして、通知部６５は、取得部６１によって取得された各候補情報の中から選択された候補情報を電力管理サーバ１０１に通知する。
【０１９５】
このような構成により、たとえば、電力管理サーバ１０１から取得した多様な候補情報をユーザに推奨することができるので、ユーザは、嗜好に合った候補情報を選択することができる。そして、ユーザにより選択された候補情報を電力管理サーバ１０１に通知する構成により、たとえば、電力管理サーバ１０１では、選択された候補情報に基づくより適切な内容の依頼情報を依頼先へ通知することができるので、電力消費の抑制を適切に行わせることができる。したがって、電力需給の良好なバランスを実現することができる。
【０１９６】
次に、本発明の他の実施の形態について図面を用いて説明する。なお、図中同一または相当部分には同一符号を付してその説明は繰り返さない。
【０１９７】
＜第２の実施の形態＞
本実施の形態は、第１の実施の形態に係る電力管理システムと比べて系統への電力供給を管理するための電力管理システムに関する。以下で説明する内容以外は第１の実施の形態に係る電力管理システムと同様である。
【０１９８】
図１１は、本発明の第２の実施の形態に係る電力管理システムの構成を示す図である。
【０１９９】
図１１を参照して、電力管理システム３０２は、電力管理サーバ（電力管理装置）１０２と、送配電事業者サーバ１４１と、端末装置１７１と、２つの需要家装置２０２とを備える。
【０２００】
電力管理システム３０２における端末装置１７１および需要家装置２０２の動作は、図１に示す電力管理システム３０１における端末装置１７１および需要家装置２０２とそれぞれ同様である。
【０２０１】
図１１では、２つの需要家装置２０２を代表的に示しているが、さらに多数または少数の需要家装置２０２が設けられてもよい。また、需要家装置２０２に対応して１つの負荷２０５を代表的に示しているが、さらに多数の負荷２０５が需要家装置２０２に対応して設けられてもよい。
【０２０２】
電力管理システム３０２では、たとえば、太陽光発電装置によって発電された電力の系統への電力供給が過剰である場合、または当該電力の系統への電力供給が過剰になるおそれがある場合において、太陽光発電装置の管理者、具体的には各需要家および再生エネルギー事業者が系統への電力供給を抑制するためのＰＶ出力抑制依頼を発行することが可能である。
【０２０３】
電力管理システム３０２における送配電事業者サーバ１４１は、たとえば、電力系統側である送配電事業者によって運用され、系統への電力供給の抑制に関する依頼を示す抑制情報Ｓ２およびＳ３を電力管理サーバ１０２および再エネ事業者サーバ１３１へそれぞれ送信する。抑制情報Ｓ２，Ｓ３は、たとえば、系統への電力供給の抑制の依頼期間（以下、ＰＶ抑制期間とも称する。）の開始タイミングおよびＰＶ抑制期間の長さ、ならびに系統への電力供給の抑制量を示す依頼電力Ｒ２を含む。なお、抑制情報Ｓ２，Ｓ３には、ＰＶ抑制期間の長さの代わりにＰＶ抑制期間の終了タイミングが含まれていてもよい。
【０２０４】
需要家装置２０２は、電力需要施設における中小規模発電装置２０６を制御可能である。
【０２０５】
中小規模発電装置２０６は、たとえば、中規模または小規模の太陽光発電装置であり、需要家装置２０２の制御に従って動作するＰＣＳ（Ｐｏｗｅｒ  Ｃｏｎｄｉｔｉｏｎｉｎｇ  Ｓｙｓｔｅｍ）等の電力変換装置を含む。なお、中小規模発電装置２０６は、太陽光発電装置に限らず、風力発電装置等であってもよい。
【０２０６】
電力変換装置は、たとえば、発電した直流電力を交流電力に変換して負荷２０５へ出力すること、当該交流電力を系統へ出力する逆潮流を行うこと、発電した直流電力を変圧して蓄電装置２０７に蓄電すること、および蓄電装置２０７から受ける直流電力を交流電力に変換して負荷２０５へ出力することが可能である。
【０２０７】
電力管理サーバ１０２は、たとえば、１または複数の需要家装置２０２と通信を行なうことにより、中小規模発電装置２０６によって発電された電力の系統への電力供給を管理する。
【０２０８】
より詳細には、電力管理サーバ１０２は、たとえば、送配電事業者サーバ１４１から抑制情報Ｓ２を受信すると、中小規模発電装置２０６の発電電力を抑制する制御、および当該発電電力を蓄電装置２０７に蓄電する制御を、需要家装置２０２を介して行う。これにより、系統への電力供給が抑制される。
【０２０９】
再エネ事業者サーバ１３１、大規模発電装置１３２および蓄電装置１３３は、発電施設に設けられる。なお、再エネ事業者サーバ１３１は、発電施設の外部に設けられてもよい。
【０２１０】
再エネ事業者サーバ１３１は、たとえば、電力系統側である再生エネルギー事業者によって運用され、発電施設における大規模発電装置１３２を制御可能である。
【０２１１】
大規模発電装置１３２は、たとえば、大規模の太陽光発電装置であり、再エネ事業者サーバ１３１の制御に従って動作する電力変換装置を含む。なお、大規模発電装置１３２は、太陽光発電装置に限らず、風力発電装置等であってもよい。
【０２１２】
電力変換装置は、たとえば、発電した直流電力を昇圧して蓄電装置１３３に蓄電すること、および蓄電装置１３３から受ける直流電力、または発電した直流電力を交流電力に変換して系統へ出力することが可能である。
【０２１３】
再エネ事業者サーバ１３１は、たとえば、大規模発電装置１３２を制御することにより、大規模発電装置１３２によって発電された電力の系統への電力供給を管理する。
【０２１４】
より詳細には、再エネ事業者サーバ１３１は、たとえば、送配電事業者サーバ１４１から抑制情報Ｓ３を受信すると、大規模発電装置１３２の発電電力を抑制する制御、および当該発電電力を蓄電装置１３３に蓄電する制御を行う。これにより、系統への電力供給が抑制される。
【０２１５】
［電力管理サーバ］
図１２は、本発明の第２の実施の形態に係る電力管理システムにおける電力管理サーバの構成を示す図である。
【０２１６】
図１２を参照して、電力管理サーバ１０２は、通信部（通知部）２１と、処理部（作成部）３２と、記憶部２３とを備える。
【０２１７】
電力管理サーバ１０２における通信部２１および記憶部２３の動作は、図２に示す電力管理サーバ１０１における通信部２１および記憶部２３とそれぞれ同様である。
【０２１８】
記憶部２３は、管理情報、実績集約情報および各種登録情報を保持する。各種登録情報については、後述する。
【０２１９】
ここで、管理情報は、たとえば、アグリゲータの管理する各需要家の需要家ＩＤと、需要家ＩＤに対応する、契約内容、スケジュールおよび需要家装置２０２の装置ＩＤとを含む。たとえば、需要家ＩＤは、契約内容に応じたグループに属する。これらの契約には、供給抑制電力量に対するインセンティブがそれぞれ定められている。スケジュールは、たとえば需要家がＰＶ出力抑制に参加できない期間を示す。
【０２２０】
実績集約情報は、たとえば、各需要家のＰＶ出力抑制の実績を示す。具体的には、実績集約情報は、需要家ＩＤごとの、送配電事業者サーバ１４１から要求されたＰＶ抑制期間および依頼電力Ｒ２と、当該期間において供給抑制した電力の実績値とを含む。
【０２２１】
［動作］
図１３は、本発明の第２の実施の形態に係る電力管理システムにおけるＰＶ出力抑制実行前の各処理のシーケンスの一例を示す図である。
【０２２２】
図１３を参照して、まず、小売事業者サーバ１５１は、たとえば、所定期間ごとの需要計画値を送配電事業者サーバ１４１へ定期的に通知する（ステップＳ３０２）。
【０２２３】
次に、再エネ事業者サーバ１３１は、たとえば、所定期間ごとの発電量の計画値の予測を送配電事業者サーバ１４１へ定期的に通知する（ステップＳ３０４）。
【０２２４】
次に、送配電事業者サーバ１４１は、小売事業者サーバ１５１および再エネ事業者サーバ１３１から通知された各通知内容に基づいて、系統への電力供給の抑制が必要か否かを判断する判断処理を行う（ステップＳ３０６）。ここでは、送配電事業者サーバ１４１は、系統への電力供給の抑制が必要であると判断する。
【０２２５】
次に、送配電事業者サーバ１４１は、抑制情報Ｓ２を電力管理サーバ１０２へ送信する（ステップＳ３０８）。
【０２２６】
次に、送配電事業者サーバ１４１は、抑制情報Ｓ３を再エネ事業者サーバ１３１へ送信する（ステップＳ３１０）。
【０２２７】
次に、再エネ事業者サーバ１３１は、送配電事業者サーバ１４１から抑制情報Ｓ３を受信すると、受信した抑制情報Ｓ３を登録する抑制情報登録処理を行う（ステップＳ３１２）。
【０２２８】
次に、電力管理サーバ１０２は、抑制情報登録処理を行う（ステップＳ３１４）。より詳細には、電力管理サーバ１０２における通信部２１は、たとえば、他の装置、具体的には送配電事業者サーバ１４１から抑制情報Ｓ２を受信し、受信した抑制情報Ｓ２を処理部３２へ出力する。
【０２２９】
処理部３２は、通信部２１から抑制情報Ｓ２を受けると、受けた抑制情報Ｓ２を記憶部２３に保存する。
【０２３０】
次に、需要家装置２０２は、自己の電力需要施設における現在および将来の日射量を示す日射量情報を定期的に電力管理サーバ１０２へ送信する（ステップＳ３１６）。
【０２３１】
次に、電力管理サーバ１０２は、発電量予測処理を行う（ステップＳ３１８）。より詳細には、電力管理サーバ１０２における処理部３２は、通信部２１経由で需要家装置２０２から受信する日射量情報に基づいて、抑制情報Ｓ２に含まれるＰＶ抑制期間における発電量を予測する。
【０２３２】
次に、処理部３２は、たとえば、予測した発電量に基づいて、抑制情報Ｓ２の示す依頼に応じるか否かを判断する（ステップＳ３２０）。
【０２３３】
より詳細には、処理部３２は、予測した発電量を用いて、ＰＶ抑制期間において依頼電力Ｒ２の抑制が達成可能か否かを判定する。具体的には、処理部３２は、日射量が少ないため予測発電量が小さい場合、依頼電力Ｒ２の抑制が達成不可能であると判定し、抑制情報Ｓ２の示す依頼に応じないと判断する。また、処理部３２は、日射量が多いため予測発電量が大きい場合、依頼電力Ｒ２の抑制が達成可能であると判定し、抑制情報Ｓ２の示す依頼に応じると判断する。
【０２３４】
処理部３２は、抑制情報Ｓ２の示す依頼に応じないと判断した場合（ステップＳ３２０でＮＯ）、非許諾応答信号を通信部２１経由で送配電事業者サーバ１４１へ送信する（ステップＳ３２２）。
【０２３５】
次に、送配電事業者サーバ１４１は、電力管理サーバ１０２から非許諾応答信号を受信すると、受信した非許諾応答信号を記録する記録処理を行う（ステップＳ３２４）。
【０２３６】
一方、処理部３２は、抑制情報Ｓ２の示す依頼に応じると判断した場合（ステップＳ３２０でＹＥＳ）、リコメンド処理ＲＰ４を行う（ステップＳ３２６）。
【０２３７】
［リコメンド処理ＲＰ４］
図１４は、本発明の第２の実施の形態に係る電力管理システムにおけるリコメンド処理のシーケンスの一例を示す図である。図１４は、図１３のステップＳ３２６における動作の詳細を示している。
【０２３８】
図３、図１２および図１４を参照して、まず、電力管理サーバ１０２は、候補情報作成処理を行う（ステップＳ９００）。
【０２３９】
より詳細には、電力管理サーバ１０２における処理部３２は、系統への電力供給の抑制の依頼先および内容を示す複数の候補情報を作成する。
【０２４０】
処理部３２は、たとえば、系統への電力供給の抑制の内容、および依頼先の条件を示す条件情報に基づいて、複数の候補情報を作成する。
【０２４１】
ここで、条件情報は、たとえば、依頼先、ここでは需要家の条件を示し、オペレータにより予め登録されている。具体的には、需要家の条件は、たとえば、抽出対象の需要家数の指定、抽出対象の需要家の電力需要施設が位置する地域の指定、回り番および優先度順等の需要家の抽出方法の指定、ならびに過去の期間における需要家のＰＶ出力抑制の参加の有無等である。
【０２４２】
詳細には、処理部３２は、たとえば、系統への電力供給の抑制の期間および量をそれぞれ示すＰＶ抑制期間および依頼電力Ｒ２、条件情報、ならびに依頼先のスケジュールすなわち管理情報に含まれるスケジュールに基づいて候補情報を作成する。
【０２４３】
また、処理部３２は、たとえば、少なくとも２つの候補情報間において、候補情報の示す１または複数の依頼先が異なるように候補情報を作成する。
【０２４４】
処理部３２は、記憶部２３における管理情報および実績集約情報、ならびにＰＶ抑制期間、依頼電力Ｒ２および条件情報に基づいて、互いに異なる複数の候補情報を作成する。
【０２４５】
詳細には、処理部３２は、たとえば、系統への電力供給の抑制の内容、および条件情報に基づいて、候補情報に含める依頼先を決定する。
【０２４６】
具体的には、処理部３２は、たとえば、管理情報、実績集約情報、ＰＶ抑制期間および依頼電力Ｒ２を用いて、各需要家のＰＶ出力抑制の実績、スケジュール、ＰＶ抑制期間および依頼電力Ｒ２を含む入力データを作成する。また、処理部３２は、条件情報の内容を含む制御条件データを作成する。
【０２４７】
処理部３２は、たとえば、作成した入力データおよび制御条件データを最適化エンジンに入力することで、入力データおよび制御条件データを満足するような各需要家の需要家ＩＤを抽出する。
【０２４８】
なお、処理部３２は、条件情報を用いずに、系統への電力供給の抑制の内容に基づいて依頼先を決定してもよい。具体的には、処理部３２は、ＰＶ抑制期間および依頼電力Ｒ２を満足するような各需要家の需要家ＩＤを、回り番によって抽出してもよいし、ランダムに抽出してもよい。
【０２４９】
処理部３２は、抽出した各需要家に割り当てる供給抑制電力、割り当てた各供給抑制電力の合計すなわち供給抑制電力期待値、および抽出した各需要家に支払うべきインセンティブの合計すなわちコストを算出する。
【０２５０】
そして、処理部３２は、抽出した需要家ＩＤ、ならびに算出した供給抑制電力、供給抑制電力期待値およびコストを含む候補情報をたとえば３つ作成し、作成した３つの候補情報にインデックスを付する。
【０２５１】
次に、処理部３２は、ＰＶ出力抑制が緊急ではない場合、具体的には、抑制情報Ｓ２に含まれるＰＶ抑制期間の開始タイミングまでの時間が所定値Ｔｈ２以下である場合（ステップＳ９０２でＮＯ）、以下の処理を行う。
【０２５２】
すなわち、処理部３２は、各候補情報および抑制情報Ｓ２を通信部２１経由で端末装置１７１へ送信する。端末装置１７１における取得部６１は、電力管理サーバ１０２から各候補情報および抑制情報Ｓ２を受信する（ステップＳ９０４）。
【０２５３】
図１５は、本発明の第２の実施の形態に係る電力管理システムにおける端末装置が作成する画面の一例を示す図である。図１５には、イベント画面が示される。
【０２５４】
図１５を参照して、次に、端末装置１７１は、表示処理を行う（ステップＳ９０６）。より詳細には、端末装置１７１における取得部６１は、受信した各候補情報および抑制情報Ｓ２を表示制御部６２へ出力する。
【０２５５】
表示制御部６２は、取得部６１から各候補情報および抑制情報Ｓ２を受けると、受けた各候補情報および抑制情報Ｓ２に基づいて、図１５に示す画面Ｓｃ４を表示装置に表示する制御を行う。
【０２５６】
画面Ｓｃ４において、グラフＧｒ２では、縦軸は、電力を示し、横軸は、時間を示す。この例では、グラフＧｒ２において、抑制情報Ｓ２に含まれるＰＶ抑制期間および依頼電力Ｒ２に基づく、１０時から１２時までにおける２００ｋＷの制御依頼を示す長方形が描かれる。
【０２５７】
また、「ＰＶ出力抑制計画候補」において、３つの候補情報の内容がインデックス順に表示されている。「達成率見込（％）」は、供給抑制電力期待値を依頼電力Ｒ２で除した値を百分率で表した値である。「供給抑制電力量見込（ｋＷ）」および「支払報奨金合計（円）」は、それぞれ供給抑制電力期待値およびコストである。「選別されたリソースの数」は、電力管理サーバ１０２によって抽出された需要家ＩＤの個数である。「制御条件」は、たとえばオペレータにより予め登録された条件である。
【０２５８】
また、「再作成」ボタンを選択する操作を端末装置１７１に対して行うことにより、たとえば、複数の候補の再作成、および「制御条件」の再設定を行うことが可能である。この場合、電力管理サーバ１０２において、リコメンド処理ＲＰ４が行われることにより、複数の候補が再作成される。
【０２５９】
図１４および図１５を参照して、次に、端末装置１７１は、入力受付処理を行う（ステップＳ９０８）。
【０２６０】
より詳細には、オペレータは、画面Ｓｃ４を参照し、たとえば、１番に対応する「この候補を選択する」ボタンを選択する操作を端末装置１７１に対して行う。
【０２６１】
受付部６４は、オペレータの操作を受け付け、受け付けた操作を示す操作情報を作成し、作成した操作情報を通知部６５へ出力する。
【０２６２】
通知部６５は、受付部６４から操作情報を受けると、受けた操作情報を電力管理サーバ１０２へ送信する（ステップＳ９１０）。
【０２６３】
次に、電力管理サーバ１０２は、依頼情報作成処理を行う（ステップＳ９１２）。より詳細には、電力管理サーバ１０２における処理部３２は、自己の作成した３つの候補情報の中から選択された候補情報に基づく内容の依頼情報を作成する。
【０２６４】
ここでは、処理部３２は、ＰＶ出力抑制が緊急ではないので、通信部２１経由で端末装置１７１から操作情報を受信すると、受信した操作情報に基づいて依頼情報を作成する。
【０２６５】
より詳細には、処理部３２は、操作情報に基づいて、インデックスが１の候補情報がオペレータに選択されたことを認識し、インデックスが１の候補情報から、各需要家ＩＤ、および当該各需要家ＩＤの示す需要家に割り当てる供給抑制電力を取得する。
【０２６６】
そして、処理部３２は、管理情報から、取得した各需要家ＩＤに対応する装置ＩＤを依頼情報の宛先として取得し、装置ＩＤごとに、対応の宛先、ＰＶ抑制期間、および対応の供給抑制電力を含む依頼情報を作成する。
【０２６７】
一方、処理部３２は、緊急のＰＶ出力抑制である場合（ステップＳ９０２でＹＥＳ）、指定された基準に従って、自己の作成した３つの候補情報の中から候補情報を選択し、選択した候補情報に基づく内容の依頼情報を作成する。ここで、指定された基準は、たとえば、図１５に示す、「達成率見込（％）」、「供給抑制電力量見込（ｋＷ）」、「支払報奨金合計（円）」および「選別されたリソースの数」のうちのいずれか１つを用いた基準である。
【０２６８】
処理部３２は、作成した各依頼情報を通信部２１へ出力する。
【０２６９】
再び図１３を参照して、次に、通信部２１は、処理部３２から各依頼情報を受けると、受けた各依頼情報を、各々の依頼情報に含まれる宛先の示す需要家装置２０２へ送信する（ステップＳ３２８）。
【０２７０】
次に、各需要家装置２０２は、電力管理サーバ１０２から依頼情報を受信すると、受信した依頼情報を登録する依頼情報登録処理を行う（ステップＳ３３０）。
【０２７１】
次に、各需要家装置２０２は、依頼情報の内容を許諾するか否かを示す応答情報を電力管理サーバ１０２へ送信する（ステップＳ３３２）。
【０２７２】
次に、各需要家装置２０２は、自己のＰＶ抑制依頼の実績を示す実績値情報を定期的に電力管理サーバ１０２へ送信する（ステップＳ３３４）。
【０２７３】
次に、電力管理サーバ１０２における処理部３２は、たとえば、通信部２１によって依頼情報が通知された後、系統への電力供給の抑制に関する依頼を達成できるか否かを判断する（ステップＳ３３６）。
【０２７４】
より詳細には、処理部３２は、各需要家装置２０２から応答情報および実績値情報を通信部２１経由で受信して、応答情報、実績値情報および抑制情報Ｓ２に基づいて、送配電事業者サーバ１４１からの抑制情報Ｓ２の内容を満たすための調整が必要か否かを判断する。
【０２７５】
処理部３２は、上記調整が必要であると判断すると（ステップＳ３３６でＹＥＳ）、新たな候補情報を作成する（ステップＳ３４４）。具体的には、処理部３２は、リコメンド処理ＲＰ４を行う。
【０２７６】
一方、処理部３２は、上記調整が不要であると判断すると（ステップＳ３３６でＮＯ）、抑制情報Ｓ２を許諾する旨を示す許諾応答信号を通信部２１経由で送配電事業者サーバ１４１へ送信する（ステップＳ３３８）。
【０２７７】
次に、再エネ事業者サーバ１３１は、抑制情報Ｓ３を許諾する旨を示す許諾応答信号を送配電事業者サーバ１４１へ送信する（ステップＳ３４０）。
【０２７８】
次に、送配電事業者サーバ１４１は、再エネ事業者サーバ１３１および電力管理サーバ１０２からそれぞれ許諾応答信号を受信すると、受信した各許諾応答信号を記録する記録処理を行う（ステップＳ３４２）。
【０２７９】
なお、上記ステップＳ３０２およびＳ３０４の順番は、上記に限らず、順番を入れ替えてもよい。
【０２８０】
また、上記ステップＳ３３２およびＳ３３４の順番は、上記に限らず、順番を入れ替えてもよい。
【０２８１】
また、上記ステップＳ３３８およびＳ３４０の順番は、上記に限らず、順番を入れ替えてもよい。
【０２８２】
図１６は、本発明の第２の実施の形態に係る電力管理システムにおけるＰＶ出力抑制実行中およびＰＶ出力抑制実行後の各処理のシーケンスの一例を示す図である。
【０２８３】
図１６を参照して、各需要家装置２０２が、電力管理サーバ１０２から受信した依頼情報に従って、ＰＶ出力抑制を実行中である状況を想定する。
【０２８４】
まず、各需要家装置２０２は、ＰＶ出力抑制実行中において実績値情報を定期的に電力管理サーバ１０２へ送信する（ステップＳ４０２）。
【０２８５】
次に、電力管理サーバ１０２は、監視処理を行う（ステップＳ４０４）。より詳細には、電力管理サーバ１０２における処理部３２は、各需要家装置２０２から実績値情報を通信部２１経由で受信して、実績値情報および抑制情報Ｓ２に基づいて、現在実行中のＰＶ出力抑制の達成度合いを監視する。
【０２８６】
次に、処理部３２は、達成度合いが目標に未達であると判断すると（ステップＳ４０６でＹＥＳ）、リコメンド処理ＲＰ５を行う（ステップＳ４０８）。ここでは、ＰＶ出力抑制を実行中であるので、処理部３２は、たとえばオペレータへの問い合わせを行わずにリコメンド処理ＲＰ５を行う。
【０２８７】
より詳細には、処理部３２は、たとえば、３つの候補情報を作成する。具体的には、処理部３２は、たとえば、ＰＶ出力抑制開始前において作成した候補情報すなわち開始前候補情報に含まれる需要家ＩＤの数を増減させた候補情報を作成したり、開始前候補情報に含まれない需要家ＩＤを開始前候補情報に含めた候補情報を作成したり、他のグループに属する需要家の需要家ＩＤを開始前候補情報に含めた候補情報を作成したりする。
【０２８８】
そして、処理部３２は、たとえば、指定された基準に従って、自己の作成した３つの候補情報の中から候補情報を選択する。
【０２８９】
処理部３２は、選択した候補情報、および管理情報に基づいて、ＰＶ出力抑制の内容の変更対象の各需要家向けの依頼情報を作成し、作成した依頼情報を通信部２１へ出力する。
【０２９０】
次に、通信部２１は、処理部３２から各依頼情報を受けると、受けた各依頼情報を、各々の依頼情報に含まれる宛先の示す需要家装置２０２へ送信する（ステップＳ４１０）。
【０２９１】
次に、ＰＶ出力抑制の内容の変更対象の各需要家装置２０２は、電力管理サーバ１０２から依頼情報を受信すると、受信した依頼情報を登録する依頼情報登録処理を行う（ステップＳ４１２）。
【０２９２】
次に、ＰＶ出力抑制の内容の変更対象の各需要家装置２０２は、依頼情報に従って、ＰＶ出力抑制を実行する（ステップＳ４１４）。
【０２９３】
一方、処理部３２は、達成度合いが目標に到達していると判断すると（ステップＳ４０６でＮＯ）、リコメンド処理ＲＰ５を行わない。
【０２９４】
ステップＳ４０４〜Ｓ４１４の処理は、ＰＶ出力抑制が終了するまでたとえば定期的に繰り返される。
【０２９５】
次に、各需要家装置２０２は、ＰＶ出力抑制実行後において実績値情報を定期的に電力管理サーバ１０２へ送信する（ステップＳ４１６）。
【０２９６】
次に、電力管理サーバ１０２は、集計処理を行う。より詳細には、電力管理サーバ１０２における処理部３２は、各需要家装置２０２から実績値情報を通信部２１経由で受信して、実績値情報および抑制情報Ｓ２に基づいて、ＰＶ出力抑制に参加した各需要家のＰＶ抑制期間における供給抑制電力の実績を集計する（ステップＳ４１８）。
【０２９７】
次に、電力管理サーバ１０２は、更新処理を行う。より詳細には、処理部３２は、集計結果に基づいて記憶部２３における実績集約情報を更新する（ステップＳ４２０）。
【０２９８】
次に、処理部３２は、ＰＶ出力抑制に参加した各需要家のＰＶ抑制期間における供給抑制電力の実績の合計値を含む実績値情報を通信部２１経由で送配電事業者サーバ１４１へ送信する（ステップＳ４２２）。
【０２９９】
次に、再エネ事業者サーバ１３１は、ＰＶ抑制期間における供給抑制電力の実績値を含む実績値情報を送配電事業者サーバ１４１へ送信する（ステップＳ４２４）。
【０３００】
次に、送配電事業者サーバ１４１は、電力管理サーバ１０２および再エネ事業者サーバ１３１からそれぞれ実績値情報を受信すると、受信した各実績値情報の内容を登録する実績値登録処理を行う（ステップＳ４２６）。
【０３０１】
なお、上記ステップＳ４２２およびＳ４２４の順番は、上記に限らず、順番を入れ替えてもよい。
【０３０２】
［電力管理システム３０２の変形例］
図１７は、本発明の第２の実施の形態に係る電力管理システムの変形例の構成を示す図である。
【０３０３】
図１７を参照して、電力管理システム３０２の変形例である電力管理システム３０３は、図１１に示す電力管理システム３０１と比べて、電力管理サーバ１０２および送配電事業者サーバ１４１の代わりに、電力管理サーバ１０３および送配電事業者サーバ（電力管理装置）１４２を備える。
【０３０４】
図１７では、１つの電力管理サーバ１０３を代表的に示しているが、さらに多数の電力管理サーバ１０３が設けられてもよい。また、１つの再エネ事業者サーバ１３１を代表的に示しているが、さらに多数の再エネ事業者サーバ１３１が設けられてもよい。
【０３０５】
図１８は、本発明の第２の実施の形態に係る電力管理システムの変形例における送配電事業者サーバの構成を示す図である。
【０３０６】
図１８を参照して、送配電事業者サーバ１４２は、通信部（通知部）４１と、処理部（作成部）４２と、記憶部４３とを備える。
【０３０７】
送配電事業者サーバ１４２における通信部４１、処理部４２および記憶部４３の動作は、図１２に示す電力管理サーバ１０２における通信部２１、処理部３２および記憶部２３とそれぞれ同様である。
【０３０８】
記憶部４３は、管理情報、実績集約情報および各種登録情報を保持する。各種登録情報については、後述する。
【０３０９】
ここで、管理情報は、たとえば、送配電事業者の管理する事業者、具体的には再生エネルギー事業者およびアグリゲータの事業者ＩＤと、事業者ＩＤに対応する、契約内容、スケジュール、電力管理サーバ１０３または再エネ事業者サーバ１３１の装置ＩＤとを含む。たとえば、事業者ＩＤは、契約内容に応じたグループに属する。これらの契約には、供給抑制電力量に対するインセンティブがそれぞれ定められている。スケジュールは、たとえば事業者がＰＶ出力抑制に参加できない期間を示す。
【０３１０】
実績集約情報は、たとえば、各事業者のＰＶ出力抑制の実績を示す。具体的には、実績集約情報は、事業者ＩＤごとの、送配電事業者サーバ１４２が作成するＰＶ抑制期間および依頼電力Ｒ３と、当該期間において供給抑制した電力の実績値とを含む。
【０３１１】
［動作］
図１９は、本発明の第２の実施の形態に係る電力管理システムの変形例におけるＰＶ出力抑制実行前の各処理のシーケンスの一例を示す図である。
【０３１２】
図１９を参照して、まず、小売事業者サーバ１５１は、たとえば、所定期間ごとの需要計画値を送配電事業者サーバ１４２へ定期的に通知する（ステップＳ５０２）。
【０３１３】
次に、再エネ事業者サーバ１３１は、たとえば、所定期間ごとの発電量の計画値の予測を送配電事業者サーバ１４２へ定期的に通知する（ステップＳ５０４）。
【０３１４】
次に、送配電事業者サーバ１４２は、判断処理を行う。より詳細には、送配電事業者サーバ１４２における処理部４２は、小売事業者サーバ１５１および再エネ事業者サーバ１３１から通信部４１経由で通知された各通知内容に基づいて、系統への電力供給の抑制が必要か否かを判断する（ステップＳ５０６）。ここでは、処理部４２は、系統への電力供給の抑制が必要であると判断する。
【０３１５】
次に、処理部４２は、抑制情報Ｓ２，Ｓ３と同様の、ＰＶ抑制期間の開始タイミングおよびＰＶ抑制期間の長さ、ならびに依頼電力Ｒ３を含む抑制情報Ｓ４を作成し、作成した抑制情報Ｓ４を記憶部４３に保存する（ステップＳ５０７）。
【０３１６】
次に、送配電事業者サーバ１４１は、リコメンド処理ＲＰ４（図１４参照）を行う（ステップＳ５０８）。
【０３１７】
次に、処理部４２は、リコメンド処理ＲＰ４において作成した依頼情報を電力管理サーバ１０３へ通信部４１経由で送信する（ステップＳ５１０）。
【０３１８】
次に、電力管理サーバ１０３は、送配電事業者サーバ１４２から依頼情報を受信すると、受信した依頼情報を登録する依頼情報登録処理を行う（ステップＳ５１２）。
【０３１９】
次に、電力管理サーバ１０３は、依頼情報に基づいて、各需要家の装置ＩＤごとに、対応の宛先、ＰＶ抑制期間、および対応の供給抑制電力を含む供給抑制情報を作成し、作成した各供給抑制情報を、各々の供給抑制情報に含まれる宛先の示す需要家装置２０２へ送信する（ステップＳ５１４）。
【０３２０】
次に、各需要家装置２０２は、電力管理サーバ１０３から供給抑制情報を受信すると、受信した供給抑制情報を登録する供給抑制情報登録処理を行う（ステップＳ５１６）。
【０３２１】
次に、電力管理サーバ１０３は、依頼情報の内容を許諾するか否かを示す応答情報を送配電事業者サーバ１４２へ送信する（ステップＳ５１８）。
【０３２２】
次に、電力管理サーバ１０３は、自己のＰＶ抑制依頼の実績を示す実績値情報を定期的に送配電事業者サーバ１４２へ送信する（ステップＳ５２０）。
【０３２３】
次に、送配電事業者サーバ１４２における処理部４２は、リコメンド処理ＲＰ４において作成した依頼情報を再エネ事業者サーバ１３１へ通信部４１経由で送信する（ステップＳ５２２）。
【０３２４】
次に、再エネ事業者サーバ１３１は、送配電事業者サーバ１４２から依頼情報を受信すると、受信した依頼情報を登録する依頼情報登録処理を行う（ステップＳ５２４）。
【０３２５】
次に、再エネ事業者サーバ１３１は、依頼情報の内容を許諾するか否かを示す応答情報を送配電事業者サーバ１４２へ送信する（ステップＳ５２６）。
【０３２６】
次に、再エネ事業者サーバ１３１は、自己のＰＶ抑制依頼の実績を示す実績値情報を定期的に送配電事業者サーバ１４２へ送信する（ステップＳ５２８）。
【０３２７】
次に、送配電事業者サーバ１４２における処理部４２は、たとえば、通信部４１によって依頼情報が通知された後、系統への電力供給の抑制に関する依頼を達成できるか否かを判断する（ステップＳ５３０）。
【０３２８】
より詳細には、処理部４２は、電力管理サーバ１０３および再エネ事業者サーバ１３１から応答情報および実績値情報を通信部４１経由で受信して、応答情報、実績値情報および抑制情報Ｓ４に基づいて、抑制情報Ｓ４の内容を満たすための調整が必要か否かを判断する。
【０３２９】
処理部４２は、上記調整が必要であると判断すると（ステップＳ５３０でＹＥＳ）、新たな候補情報を作成する（ステップＳ５３２）。具体的には、処理部４２は、リコメンド処理ＲＰ４を行う。
【０３３０】
一方、処理部４２は、上記調整が不要であると判断すると（ステップＳ５３０でＮＯ）、リコメンド処理ＲＰ４を行わない。
【０３３１】
なお、上記ステップＳ５０２およびＳ５０４の順番は、上記に限らず、順番を入れ替えてもよい。
【０３３２】
また、上記ステップＳ５１０およびＳ５２２の順番は、上記に限らず、順番を入れ替えてもよい。
【０３３３】
また、上記ステップＳ５１８，Ｓ５２０，Ｓ５２６，Ｓ５２８の順番は、上記に限らず、一部または全部の順番を変更してもよい。
【０３３４】
図２０は、本発明の第２の実施の形態に係る電力管理システムの変形例におけるＰＶ出力抑制実行中およびＰＶ出力抑制実行後の各処理のシーケンスの一例を示す図である。
【０３３５】
図２０を参照して、電力管理サーバ１０３および再エネ事業者サーバ１３１は、送配電事業者サーバ１４２から受信した依頼情報に従って、ＰＶ出力抑制を実行中である状況を想定する。
【０３３６】
まず、電力管理サーバ１０３は、ＰＶ出力抑制実行中において実績値情報を定期的に送配電事業者サーバ１４２へ送信する（ステップＳ６０２）。
【０３３７】
次に、再エネ事業者サーバ１３１は、ＰＶ出力抑制実行中において実績値情報を定期的に送配電事業者サーバ１４２へ送信する（ステップＳ６０４）。
【０３３８】
次に、送配電事業者サーバ１４２は、監視処理を行う（ステップＳ６０６）。より詳細には、送配電事業者サーバ１４２における処理部４２は、電力管理サーバ１０３および再エネ事業者サーバ１３１から実績値情報を通信部２１経由で受信して、各実績値情報および抑制情報Ｓ４に基づいて、現在実行中のＰＶ出力抑制の達成度合いを監視する。
【０３３９】
次に、処理部４２は、達成度合いが目標に未達であると判断すると（ステップＳ６０８でＹＥＳ）、リコメンド処理ＲＰ５を行う（ステップＳ６１０）。ここでは、ＰＶ出力抑制を実行中であるので、処理部４２は、たとえばオペレータへの問い合わせを行わずにリコメンド処理ＲＰ５を行う。
【０３４０】
より詳細には、処理部４２は、たとえば、３つの候補情報を作成する。具体的には、処理部４２は、たとえば、ＰＶ出力抑制開始前において作成した候補情報すなわち開始前候補情報に含まれる事業者ＩＤの数を増減させた候補情報を作成したり、開始前候補情報に含まれない事業者ＩＤを開始前候補情報に含めた候補情報を作成したり、他のグループに属する事業者の事業者ＩＤを開始前候補情報に含めた候補情報を作成したりする。
【０３４１】
そして、処理部４２は、たとえば、指定された基準に従って、自己の作成した３つの候補情報の中から候補情報を選択する。
【０３４２】
次に、処理部４２は、選択した候補情報、および管理情報に基づいて、ＰＶ出力抑制の内容の変更対象の各事業者向けの依頼情報を作成し、作成した依頼情報を通信部４１経由で電力管理サーバ１０３へ送信する（ステップＳ６１２）。
【０３４３】
次に、電力管理サーバ１０３は、送配電事業者サーバ１４２から依頼情報を受信すると、受信した依頼情報を登録する依頼情報登録処理を行う（ステップＳ６１６）。
【０３４４】
次に、電力管理サーバ１０３は、依頼情報に従って、ＰＶ出力抑制を実行する（ステップＳ６１８）。
【０３４５】
次に、送配電事業者サーバ１４２における処理部４２は、依頼情報を通信部４１経由で再エネ事業者サーバ１３１へ送信する（ステップＳ６１４）。
【０３４６】
次に、再エネ事業者サーバ１３１は、送配電事業者サーバ１４２から依頼情報を受信すると、受信した依頼情報を登録する依頼情報登録処理を行う（ステップＳ６２０）。
【０３４７】
次に、電力管理サーバ１０３は、依頼情報に従って、ＰＶ出力抑制を実行する（ステップＳ６２２）。
【０３４８】
一方、処理部４２は、達成度合いが目標に到達していると判断すると（ステップＳ６０８でＮＯ）、リコメンド処理ＲＰ５を行わない。
【０３４９】
ステップＳ６０６〜Ｓ６２２の処理は、ＰＶ出力抑制が終了するまでたとえば定期的に繰り返される。
【０３５０】
次に、電力管理サーバ１０３は、ＰＶ出力抑制実行後において実績値情報を定期的に送配電事業者サーバ１４２へ送信する（ステップＳ６２４）。
【０３５１】
次に、再エネ事業者サーバ１３１は、ＰＶ出力抑制実行後において実績値情報を定期的に送配電事業者サーバ１４２へ送信する（ステップＳ６２６）。
【０３５２】
次に、送配電事業者サーバ１４２は、集計処理を行う。より詳細には、送配電事業者サーバ１４２における処理部４２は、電力管理サーバ１０３および再エネ事業者サーバ１３１から実績値情報を通信部４１経由で受信して、各実績値情報および抑制情報Ｓ４に基づいて、ＰＶ出力抑制に参加した各事業者のＰＶ抑制期間における供給抑制電力の実績を集計する（ステップＳ６２８）。
【０３５３】
次に、送配電事業者サーバ１４２は、更新処理を行う。より詳細には、処理部４２は、集計結果に基づいて記憶部４３における実績集約情報を更新する（ステップＳ６３０）。
【０３５４】
なお、上記ステップＳ６０２およびＳ６０４の順番は、上記に限らず、順番を入れ替えてもよい。
【０３５５】
また、上記ステップＳ６１２およびＳ６１４の順番は、上記に限らず、順番を入れ替えてもよい。
【０３５６】
また、上記ステップＳ６２４およびＳ６２６の順番は、上記に限らず、順番を入れ替えてもよい。
【０３５７】
また、本発明の第２の実施の形態に係る電力管理システムでは、処理部３２，４２は、系統への電力供給の抑制の依頼先および内容の両方を示す候補情報を複数作成する構成であるとしたが、これに限定するものではない。処理部３２，４２は、系統への電力供給の抑制の依頼先および内容のいずれか一方を示す候補情報を複数作成する構成であってもよい。
【０３５８】
また、本発明の第２の実施の形態に係る電力管理システムでは、処理部３２，４２は、複数の候補情報のうちの少なくとも２つの候補情報間において、候補情報の示す１または複数の依頼先が異なるように候補情報を作成する構成であるとしたが、これに限定するものではない。処理部３２，４２は、複数の候補情報において、候補情報の示す依頼先が同じになるように候補情報を作成する構成であってもよい。
【０３５９】
また、本発明の第２の実施の形態に係る電力管理システムでは、処理部３２，４２は、依頼先のスケジュール、ＰＶ抑制期間および依頼電力に基づいて候補情報を作成する構成であるとしたが、これに限定するものではない。処理部３２，４２は、これらの情報以外の情報に基づいて候補情報を作成する構成であってもよいし、依頼先のスケジュールに基づいて候補情報を作成する構成であってもよいし、ＰＶ抑制期間および依頼電力の少なくともいずれか一方に基づいて候補情報を作成する構成であってもよい。
【０３６０】
以上のように、本発明の第２の実施の形態に係る電力管理サーバは、系統への電力供給を管理する電力管理装置である。処理部３２は、系統への電力供給の抑制の依頼先および内容の少なくともいずれか一方を示す候補情報を複数作成する。そして、通信部２１は、処理部３２によって作成された各候補情報の中から選択された候補情報に基づく内容の依頼情報を依頼先に通知する。
【０３６１】
このような構成により、たとえば、多様な候補情報をユーザに推奨することができるので、ユーザは、嗜好に合った候補情報を選択することができる。また、たとえば、作成した各候補情報の中からある基準を満たす候補情報を自動で選択することができる。これにより、より適切な内容の依頼情報を通知することができるので、系統への電力供給の抑制を適切に行わせることができる。したがって、電力需給の良好なバランスを実現することができる。
【０３６２】
また、本発明の第２の実施の形態に係る電力管理サーバでは、処理部３２によって作成された少なくとも２つの候補情報間において、候補情報の示す１または複数の依頼先が異なる。
【０３６３】
このような構成により、依頼先の多様性を確保することができるので、依頼先の偏りを防ぐことができる。
【０３６４】
また、本発明の第２の実施の形態に係る電力管理サーバでは、処理部３２は、系統への電力供給抑制の内容、および依頼先の条件を示す条件情報に基づいて、候補情報に含める依頼先を決定する。
【０３６５】
このような構成により、たとえば、抑制の内容、ならびに依頼先の実績、地域および優先度等の条件を設定することができるので、より適切な候補情報を推奨することができる。
【０３６６】
また、本発明の第２の実施の形態に係る電力管理サーバでは、処理部３２は、依頼先のスケジュールに基づいて候補情報を作成する。
【０３６７】
このような構成により、たとえば、依頼先にとって都合の悪い期間が除外された候補情報を作成することができるので、系統への電力供給の抑制が予定通りに行われる可能性を高めることができる。
【０３６８】
また、本発明の第２の実施の形態に係る電力管理サーバでは、処理部３２は、系統への電力供給抑制の期間および量の少なくともいずれか一方に基づいて候補情報を作成する。
【０３６９】
このような構成により、目標が反映された候補情報を作成することができるので、系統への電力供給の抑制が目標通りに行われる可能性を高めることができる。
【０３７０】
また、本発明の第２の実施の形態に係る電力管理サーバは、他の装置から系統への電力供給抑制に関する依頼を示す抑制情報Ｓ２を受信する。そして、処理部３２は、通信部２１によって依頼情報が通知された後、当該依頼を達成できないと判断した場合、新たな候補情報を作成する。
【０３７１】
このような構成により、抑制情報の内容通りに抑制が行われない場合に、依頼先および依頼量を追加したり、削減したりすることができるので、抑制情報の内容の実行可能性を高めることができる。
【０３７２】
また、本発明の第２の実施の形態に係る電力管理サーバは、他の装置から系統への電力供給抑制に関する依頼を示す抑制情報Ｓ２を受信する。そして、処理部３２は、当該依頼に応じるか否かを判断し、応じると判断した場合、候補情報を作成する。
【０３７３】
このような構成により、たとえば、上記依頼の実行可能性を判断した上で候補情報を作成することができるので、依頼先に困難な抑制処理を行わせることを防ぐことができる。
【０３７４】
また、本発明の第２の実施の形態に係る端末装置では、取得部６１は、系統への電力供給の抑制の依頼先および内容の少なくともいずれか一方を示す候補情報を、系統への電力供給を管理する電力管理サーバ１０２から複数取得する。そして、通知部６５は、取得部６１によって取得された各候補情報の中から選択された候補情報を電力管理サーバ１０２に通知する。
【０３７５】
このような構成により、たとえば、電力管理サーバ１０２から取得した多様な候補情報をユーザに推奨することができるので、ユーザは、嗜好に合った候補情報を選択することができる。そして、ユーザにより選択された候補情報を電力管理サーバ１０２に通知する構成により、たとえば、電力管理サーバ１０２では、選択された候補情報に基づくより適切な内容の依頼情報を依頼先へ通知することができるので、系統への電力供給の抑制を適切に行わせることができる。したがって、電力需給の良好なバランスを実現することができる。
【０３７６】
その他の構成および動作は第１の実施の形態に係る電力管理システムと同様であるため、ここでは詳細な説明を繰り返さない。
【０３７７】
なお、本発明の第１の実施の形態および第２の実施の形態に係る各装置の構成要素および動作のうち、一部または全部を適宜組み合わせることも可能である。
【０３７８】
また、本発明の第１の実施の形態および第２の実施の形態に係るサーバの機能の一部または全部が、クラウドコンピューティングによって提供されてもよい。すなわち、本発明の第１の実施の形態および第２の実施の形態に係るサーバが、複数のクラウドサーバ等によって構成されてもよい。
【０３７９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０３８０】
以上の説明は、以下に付記する特徴を含む。
【０３８１】
［付記１］
電力消費または系統への電力供給を管理する電力管理装置であって、
電力消費または系統への電力供給の抑制の依頼先および内容の少なくともいずれか一方を示す候補情報を複数作成する作成部と、
前記作成部によって作成された各前記候補情報の中から選択された前記候補情報に基づく内容の依頼情報を前記依頼先に通知する通知部とを備え,
前記候補情報は、前記電力管理装置が電力消費の抑制を行う場合、前記依頼先のＩＤ、前記依頼先に割り当てる節電電力、割り当てた各前記節電電力の合計、および前記各依頼先に支払うべきインセンティブの合計を含み、
前記候補情報は、前記電力管理装置が系統への電力供給の抑制を行う場合、前記依頼先のＩＤ、前記依頼先に割り当てる供給抑制電力、割り当てた各前記供給抑制電力の合計、および前記各依頼先に支払うべきインセンティブの合計を含み、
前記依頼情報は、前記電力管理装置が電力消費の抑制を行う場合、前記抑制の期間、および前記依頼先に対応する節電電力を含み、
前記依頼情報は、前記電力管理装置が系統への電力供給の抑制を行う場合、前記抑制の期間、および前記依頼先に対応する供給抑制電力を含む、電力管理装置。
【０３８２】
［付記２］
電力消費または系統への電力供給の抑制の依頼先および内容の少なくともいずれか一方を示す候補情報を、電力消費または系統への電力供給を管理する電力管理装置から複数取得する取得部と、
前記取得部によって取得された各前記候補情報の中から選択された前記候補情報を前記電力管理装置に通知する通知部とを備え、
前記候補情報は、前記電力管理装置が電力消費の抑制を行う場合、前記依頼先のＩＤ、前記依頼先に割り当てる節電電力、割り当てた各前記節電電力の合計、および前記各依頼先に支払うべきインセンティブの合計を含み、
前記候補情報は、前記電力管理装置が系統への電力供給の抑制を行う場合、前記依頼先のＩＤ、前記依頼先に割り当てる供給抑制電力、割り当てた各前記供給抑制電力の合計、および前記各依頼先に支払うべきインセンティブの合計を含み、
前記依頼情報は、前記電力管理装置が電力消費の抑制を行う場合、前記抑制の期間、および前記依頼先に対応する節電電力を含み、
前記依頼情報は、前記電力管理装置が系統への電力供給の抑制を行う場合、前記抑制の期間、および前記依頼先に対応する供給抑制電力を含む、端末装置。
【符号の説明】
【０３８３】
２１  通信部（通知部）
２２  処理部（作成部）
２３  記憶部
３２  処理部（作成部）
４１  通信部（通知部）
４２  処理部（作成部）
４３  記憶部
６１  取得部
６２  表示制御部
６４  受付部
６５  通知部
１０１，１０２  電力管理サーバ（電力管理装置）
１０３  電力管理サーバ
１１１  卸電力取引所サーバ
１２１  系統側サーバ
１３１  再エネ事業者サーバ
１３２  大規模発電装置
１３３  蓄電装置
１４１  送配電事業者サーバ
１４２  送配電事業者サーバ（電力管理装置）
１５１  小売事業者サーバ
１７１  端末装置
２０２  需要家装置
２０５  負荷
２０６  中小規模発電装置
２０７  蓄電装置
３０１，３０２，３０３  電力管理システム
【図１】
2018036961.tif 000003
【図２】
2018036961.tif 000004
【図３】
2018036961.tif 000005
【図４】
2018036961.tif 000006
【図５】
2018036961.tif 000007
【図６】
2018036961.tif 000008
【図７】
2018036961.tif 000009
【図８】
2018036961.tif 000010
【図９】
2018036961.tif 000011
【図１０】
2018036961.tif 000012
【図１１】
2018036961.tif 000013
【図１２】
2018036961.tif 000014
【図１３】
2018036961.tif 000015
【図１４】
2018036961.tif 000016
【図１５】
2018036961.tif 000017
【図１６】
2018036961.tif 000018
【図１７】
2018036961.tif 000019
【図１８】
2018036961.tif 000020
【図１９】
2018036961.tif 000021
【図２０】
2018036961.tif 000022